(57)【要約】【課題】様々なサイズの照明装置を効率的に構築することが可能な技術を提供する。【解決手段】照明装置１は、少なくとも１つの発光ユニット１０と、少なくとも１つの電源ユニット３０と、互いに異なる複数の種類のサイズ調整ユニット（５０，６０等）の中から照明装置１の指定幅に応じて選択される少なくとも１つのサイズ調整ユニットとを備える。照明装置１には、幅方向（図の左右方向）において、少なくとも１つの発光ユニット１０と少なくとも１つの電源ユニット３０と少なくとも１つのサイズ調整ユニット（５０，６０，７０）とを含む複数のユニットの組合せが配置される。照明装置１は、当該複数のユニットに関する異なる複数の組合せによって構築される所定単位幅ΔＷ刻みの異なる複数の幅を有する複数の照明装置のうちの１つである。【選択図】図１５
2018120877.tif 000002
【特許請求の範囲】
【請求項１】
照明装置であって、
所定方向に伸延する少なくとも１つの発光ユニットと、
少なくとも１つの電源ユニットと、
互いに異なる複数の種類のサイズ調整ユニットの中から、前記照明装置の指定幅に応じて選択される少なくとも１つのサイズ調整ユニットと、
を備え、
前記所定方向に対して垂直な方向である幅方向において、前記少なくとも１つの発光ユニットと前記少なくとも１つの電源ユニットと前記少なくとも１つのサイズ調整ユニットとを含む複数のユニットの組合せが配置されることを特徴とする照明装置。
【請求項２】
請求項１に記載の照明装置において、
前記照明装置は、前記複数のユニットに関する異なる複数の組合せによって構築される所定単位幅刻みの異なる複数の幅を有する複数の照明装置のうちの１つの照明装置であり、
前記所定単位幅刻みの異なる複数の幅に対応する、複数の種類のサイズ調整ユニットの組合せの中から、前記少なくとも１つの発光ユニットと前記少なくとも１つの電源ユニットとの合計幅を前記指定幅から差し引いた調整幅を実現する前記少なくとも１つのサイズ調整ユニットが選択されることを特徴とする照明装置。
【請求項３】
請求項２に記載の照明装置において、
前記複数の種類のサイズ調整ユニットは、
前記所定単位幅の半値の倍数の幅を有するＰ種類（ただし、値Ｐは自然数）のサイドカバーユニットと、
前記所定単位幅の半値の倍数の幅を有するＱ種類（ただし、値Ｑは自然数）の幅調整ジョイントユニットと、
を有し、
前記少なくとも１つのサイズ調整ユニットは、
前記Ｐ種類のサイドカバーユニットの中から前記指定幅に応じて選択される２つのサイドカバーユニットと、
前記Ｑ種類の幅調整ジョイントユニットの中から前記指定幅に応じて選択される偶数個の幅調整ジョイントユニットと、
を有することを特徴とする照明装置。
【請求項４】
請求項２に記載の照明装置において、
前記複数の種類のサイズ調整ユニットは、
前記所定単位幅の半値の倍数の幅を有するＰ種類（ただし、値Ｐは自然数）のサイドカバーユニットと、
前記所定単位幅の半値の倍数の幅を有するＱ種類（ただし、値Ｑは自然数）の幅調整ジョイントユニットと、
を有し、
前記少なくとも１つのサイズ調整ユニットは、
前記Ｐ種類のサイドカバーユニットの中から選択される２つのサイドカバーユニット、
を有し、
前記値Ｐと前記値Ｑとの少なくとも一方は、２以上であり、
前記少なくとも１つの発光ユニットと前記少なくとも１つの電源ユニットとの合計幅を前記指定幅から差し引いた値が、前記Ｐ種類のサイドカバーユニットと前記Ｑ種類の幅調整ジョイントユニットとに関する組合せによって実現されるＲ段階（ただし、値Ｒは自然数であり、且つ、Ｒ＞Ｐ＋Ｑ）の幅の値のいずれかに等しくなるように、前記照明装置に配置されるべき前記幅調整ジョイントユニットの種類および配置数と前記２つのサイドカバーユニットの種類とが決定されることを特徴とする照明装置。
【請求項５】
請求項３に記載の照明装置において、
前記少なくとも１つの発光ユニットは、複数の発光ユニットを有し、
前記少なくとも１つのサイズ調整ユニットは、
前記複数の発光ユニットのうち互いに隣接する発光ユニット同士を互いに接続する少なくとも１つの発光部用ジョイントユニット、
をさらに有することを特徴とする照明装置。
【請求項６】
請求項２に記載の照明装置において、
前記複数の種類のサイズ調整ユニットは、
前記所定単位幅の半値の倍数の幅を有するＰ種類（ただし、値Ｐは自然数）のサイドカバーユニットと、
前記所定単位幅の半値の倍数の幅を有するＱ種類（ただし、値Ｑは自然数）の幅調整ジョイントユニットと、
を有し、
前記少なくとも１つの発光ユニットは、複数の発光ユニットを有し、
前記少なくとも１つのサイズ調整ユニットは、
互いに隣接する発光ユニット同士を互いに接続する少なくとも１つの発光部用ジョイントユニットと、
前記Ｐ種類のサイドカバーユニットの中から選択される２つのサイドカバーユニットと、
を有し、
前記値Ｐと前記値Ｑとの少なくとも一方は、２以上であり、
前記少なくとも１つの発光ユニットと前記少なくとも１つの電源ユニットとの合計幅を前記指定幅から差し引いた値が、前記Ｐ種類のサイドカバーユニットと前記Ｑ種類の幅調整ジョイントユニットとに関する組合せと前記少なくとも１つの発光部用ジョイントユニットとによって実現されるＲ段階（ただし、値Ｒは自然数であり、且つ、Ｒ＞Ｐ＋Ｑ）の幅の値のいずれかに等しくなるように、前記照明装置に配置されるべき前記幅調整ジョイントユニットの種類および配置数と前記２つのサイドカバーユニットの種類とが決定されることを特徴とする照明装置。
【請求項７】
請求項２に記載の照明装置において、
前記複数の照明装置は、発光ユニットの配置数を変更して構築される異なる装置を含むことを特徴とする照明装置。
【請求項８】
請求項１ないし請求項７のいずれかに記載の照明装置において、
前記照明装置は、左右対称のユニット構成を有していることを特徴とする照明装置。
【請求項９】
照明装置の製造方法であって、
ａ）前記照明装置において所定方向に伸延して配置される発光ユニットの前記所定方向に垂直な方向である幅方向における配置数と前記照明装置に配置される電源ユニットの前記幅方向における配置数と前記照明装置の指定幅とに基づき、前記少なくとも１つのサイズ調整ユニットにより調整されるべき調整幅を決定するステップと、
ｂ）互いに異なる幅を有する複数の種類のサイズ調整ユニットの中から、前記調整幅を実現する前記少なくとも１つのサイズ調整ユニットを決定するステップと、
ｃ）前記ステップｂ）にて決定された前記少なくとも１つのサイズ調整ユニットと、前記発光ユニットと、前記電源ユニットとを含む複数のユニットを、前記幅方向において組み合わせて配置するステップと、
を備えることを特徴とする、照明装置の製造方法。
【発明の詳細な説明】
【技術分野】
【０００１】
本発明は、ＬＥＤ照明装置などの照明装置およびそれに関連する技術に関する。
【背景技術】
【０００２】
従来、天井等に配置される照明装置として、蛍光灯を用いた照明装置（蛍光灯照明装置とも称する）が多く用いられている。たとえば、長尺状の２本の蛍光灯を有する照明装置が存在する。
【０００３】
また近年、ＬＥＤ（発光ダイオード）を用いた照明装置（ＬＥＤ照明装置とも称する）等も市場に投入されてきている。ＬＥＤ照明装置は、低消費電力および長寿命などの特徴を有しており、既存の蛍光灯照明装置をＬＥＤ照明装置に置き換えることも行われている。
【発明の概要】
【発明が解決しようとする課題】
【０００４】
既存の照明装置（たとえば蛍光灯を光源とする照明装置）を新たな照明装置に置き換える（リプレースする）場合には、既存の照明装置に応じた大きさを有する新たな照明装置を配置することが望まれることがある。たとえば、既存の照明装置の配置スペースとほぼ同じ大きさを有する照明装置を、新たな照明装置として配置することが望まれることがある。
【０００５】
ただし、蛍光灯自体のサイズは規格化されているものの、当該蛍光灯を有する照明装置のサイズは規格化されていない。したがって、蛍光灯を有する照明装置の中には、様々なサイズのものが存在する。そのため、配置場所に応じた様々なサイズの照明装置が求められることがある。
【０００６】
また、オフィスおよび店舗等の新築に伴い、新規の照明装置を配置する場合においても、配置場所に応じた様々なサイズの照明装置が求められることもある。
【０００７】
このように、既存設備のリプレースあるいは新規設置のいずれにおいても、配置場所等の状況に応じた様々なサイズの照明装置が求められることがある。なお、蛍光灯を有する照明装置のみならず、その他の光源（たとえばＬＥＤ光源等）を有する照明装置においても同様の事情が存在する。
【０００８】
このような場合において、従来は、まず照明装置の設置場所等に応じた適切なサイズが定められ、当該適切なサイズを有する照明装置が、その都度設計され製作されることが行われている。すなわち、いわゆる特注によって、所望のサイズの照明装置が設計および製作されている。
【０００９】
しかしながら、複数のサイズの照明装置をその都度設計することは効率的ではない。また、特注による照明装置は、一般に高価格であるという問題も存在する。
【００１０】
そこで、この発明は、様々なサイズの照明装置を効率的に構築することが可能な技術を提供することを課題とする。
【課題を解決するための手段】
【００１１】
上記課題を解決すべく、請求項１の発明は、照明装置であって、所定方向に伸延する少なくとも１つの発光ユニットと、少なくとも１つの電源ユニットと、互いに異なる複数の種類のサイズ調整ユニットの中から、前記照明装置の指定幅に応じて選択される少なくとも１つのサイズ調整ユニットと、を備え、前記所定方向に対して垂直な方向である幅方向において、前記少なくとも１つの発光ユニットと前記少なくとも１つの電源ユニットと前記少なくとも１つのサイズ調整ユニットとを含む複数のユニットの組合せが配置されることを特徴とする。
【００１２】
請求項２の発明は、請求項１の発明に係る照明装置において、前記照明装置は、前記複数のユニットに関する異なる複数の組合せによって構築される所定単位幅刻みの異なる複数の幅を有する複数の照明装置のうちの１つの照明装置であり、前記所定単位幅刻みの異なる複数の幅に対応する、複数の種類のサイズ調整ユニットの組合せの中から、前記少なくとも１つの発光ユニットと前記少なくとも１つの電源ユニットとの合計幅を前記指定幅から差し引いた調整幅を実現する前記少なくとも１つのサイズ調整ユニットが選択されることを特徴とする。
【００１３】
請求項３の発明は、請求項２の発明に係る照明装置において、前記複数の種類のサイズ調整ユニットは、前記所定単位幅の半値の倍数の幅を有するＰ種類（ただし、値Ｐは自然数）のサイドカバーユニットと、前記所定単位幅の半値の倍数の幅を有するＱ種類（ただし、値Ｑは自然数）の幅調整ジョイントユニットと、を有し、前記少なくとも１つのサイズ調整ユニットは、前記Ｐ種類のサイドカバーユニットの中から前記指定幅に応じて選択される２つのサイドカバーユニットと、前記Ｑ種類の幅調整ジョイントユニットの中から前記指定幅に応じて選択される偶数個の幅調整ジョイントユニットと、を有することを特徴とする。
【００１４】
請求項４の発明は、請求項２の発明に係る照明装置において、前記複数の種類のサイズ調整ユニットは、前記所定単位幅の半値の倍数の幅を有するＰ種類（ただし、値Ｐは自然数）のサイドカバーユニットと、前記所定単位幅の半値の倍数の幅を有するＱ種類（ただし、値Ｑは自然数）の幅調整ジョイントユニットと、を有し、前記少なくとも１つのサイズ調整ユニットは、前記Ｐ種類のサイドカバーユニットの中から選択される２つのサイドカバーユニット、を有し、前記値Ｐと前記値Ｑとの少なくとも一方は、２以上であり、前記少なくとも１つの発光ユニットと前記少なくとも１つの電源ユニットとの合計幅を前記指定幅から差し引いた値が、前記Ｐ種類のサイドカバーユニットと前記Ｑ種類の幅調整ジョイントユニットとに関する組合せによって実現されるＲ段階（ただし、値Ｒは自然数であり、且つ、Ｒ＞Ｐ＋Ｑ）の幅の値のいずれかに等しくなるように、前記照明装置に配置されるべき前記幅調整ジョイントユニットの種類および配置数と前記２つのサイドカバーユニットの種類とが決定されることを特徴とする。
【００１５】
請求項５の発明は、請求項３の発明に係る照明装置において、前記少なくとも１つの発光ユニットは、複数の発光ユニットを有し、前記少なくとも１つのサイズ調整ユニットは、前記複数の発光ユニットのうち互いに隣接する発光ユニット同士を互いに接続する少なくとも１つの発光部用ジョイントユニット、をさらに有することを特徴とする。
【００１６】
請求項６の発明は、請求項２の発明に係る照明装置において、前記複数の種類のサイズ調整ユニットは、前記所定単位幅の半値の倍数の幅を有するＰ種類（ただし、値Ｐは自然数）のサイドカバーユニットと、前記所定単位幅の半値の倍数の幅を有するＱ種類（ただし、値Ｑは自然数）の幅調整ジョイントユニットと、を有し、前記少なくとも１つの発光ユニットは、複数の発光ユニットを有し、前記少なくとも１つのサイズ調整ユニットは、互いに隣接する発光ユニット同士を互いに接続する少なくとも１つの発光部用ジョイントユニットと、前記Ｐ種類のサイドカバーユニットの中から選択される２つのサイドカバーユニットと、を有し、前記値Ｐと前記値Ｑとの少なくとも一方は、２以上であり、前記少なくとも１つの発光ユニットと前記少なくとも１つの電源ユニットとの合計幅を前記指定幅から差し引いた値が、前記Ｐ種類のサイドカバーユニットと前記Ｑ種類の幅調整ジョイントユニットとに関する組合せと前記少なくとも１つの発光部用ジョイントユニットとによって実現されるＲ段階（ただし、値Ｒは自然数であり、且つ、Ｒ＞Ｐ＋Ｑ）の幅の値のいずれかに等しくなるように、前記照明装置に配置されるべき前記幅調整ジョイントユニットの種類および配置数と前記２つのサイドカバーユニットの種類とが決定されることを特徴とする。
【００１７】
請求項７の発明は、請求項２の発明に係る照明装置において、前記複数の照明装置は、発光ユニットの配置数を変更して構築される異なる装置を含むことを特徴とする。
【００１８】
請求項８の発明は、請求項１ないし請求項７のいずれかの発明に係る照明装置において、前記照明装置は、左右対称のユニット構成を有していることを特徴とする。
【００１９】
請求項９の発明は、照明装置の製造方法であって、ａ）前記照明装置において所定方向に伸延して配置される発光ユニットの前記所定方向に垂直な方向である幅方向における配置数と前記照明装置に配置される電源ユニットの前記幅方向における配置数と前記照明装置の指定幅とに基づき、前記少なくとも１つのサイズ調整ユニットにより調整されるべき調整幅を決定するステップと、ｂ）互いに異なる幅を有する複数の種類のサイズ調整ユニットの中から、前記調整幅を実現する前記少なくとも１つのサイズ調整ユニットを決定するステップと、ｃ）前記ステップｂ）にて決定された前記少なくとも１つのサイズ調整ユニットと、前記発光ユニットと、前記電源ユニットとを含む複数のユニットを、前記幅方向において組み合わせて配置するステップと、を備えることを特徴とする。
【発明の効果】
【００２０】
請求項１ないし請求項９に記載の発明によれば、様々な幅の照明装置を効率的に構築することが可能である。
【００２１】
特に、請求項４および請求項６に記載の発明によれば、比較的多段階Ｒの幅を比較的少数の部品種類数（Ｐ＋Ｑ）で実現することが可能である。
【図面の簡単な説明】
【００２２】
【図１】本発明の実施形態に係る複数の照明装置のうちの１つの照明装置を示す斜視図である。
【図２】図１の照明装置の断面図である。
【図３】電源ユニットの内部構成を上側から見た平面図である。
【図４】照明装置の別の断面図である。
【図５】ＬＥＤユニットのベース部材の断面図である。
【図６】電源ユニットの構成部品の断面図である。
【図７】サイドカバーユニットの断面図である。
【図８】幅調整ジョイントユニットの断面図である。
【図９】発光部用ジョイントユニットの断面図である。
【図１０】１４０ｍｍの幅を有する照明装置を示す図である。
【図１１】１９０ｍｍ〜２１０ｍｍの幅を有する各照明装置を示す図である。
【図１２】２２０ｍｍ〜２３０ｍｍの幅を有する各照明装置を示す図である。
【図１３】２４０ｍｍ〜２６０ｍｍの幅を有する各照明装置を示す図である。
【図１４】２７０ｍｍ〜３００ｍｍの幅を有する各照明装置を示す図である。
【図１５】３１０ｍｍ〜３８０ｍｍの幅を有する各照明装置を示す図である。
【図１６】３９０ｍｍ〜４３０ｍｍの幅を有する各照明装置を示す図である。
【図１７】４４０ｍｍ〜５４０ｍｍの幅を有する各照明装置を示す図である。
【図１８】５５０ｍｍ〜６５０ｍｍの幅を有する各照明装置を示す図である。
【図１９】６６０ｍｍ〜６８０ｍｍの幅を有する各照明装置を示す図である。
【図２０】６９０ｍｍ〜８００ｍｍの幅を有する各照明装置を示す図である。
【発明を実施するための形態】
【００２３】
以下、本発明の実施形態を図面に基づいて説明する。
【００２４】
＜１．照明装置概略＞
＜１−１．概要＞
図１は、本発明の実施形態に係る複数の照明装置１のうちの一の照明装置１（１Ａ）を示す斜視図である。図１においては、天井面に取り付けられる照明装置１Ａを斜め下方から見た様子が示されている。図１に示すように、照明装置１Ａは、所定方向（Ｙ方向）に伸延する略直方体形状を有している。なお、以下では、適宜、ＸＹＺ直交座標系を用いて方向等を示す。Ｚ方向は鉛直方向であり、Ｙ方向は照明装置１の長手方向であり、Ｘ方向は照明装置１の幅方向である、とも表現される。
【００２５】
図２は、照明装置１Ａの断面図であり、詳細には、照明装置１Ａの長手方向（Ｙ方向）の所定の位置におけるＸＺ断面を示す図である。図３は、照明装置１Ａにおける電源ユニット３０（後述）の内部構成を上側から見た平面図である。ただし、図示の便宜上、図３においては上側ベース部材３１（後述）は示されていない。図４も照明装置１Ａの断面図である。図２は、図３のＡ−Ａ断面を示す断面図であり、図４は、図３のＢ−Ｂ断面を示す断面図である。
【００２６】
図１および図２に示す照明装置１Ａは、後述する各種ユニット１０，３０，４０（５０等）をＸ方向（幅方向）に組み合わせて配置することによって構築される複数の照明装置１（図１０〜図２０参照）のうちの１つである。複数の照明装置１は、それぞれ互いに異なる幅（詳細には、１４０ｍｍ（ミリメートル），１９０ｍｍ〜８００ｍｍ）を有し、特に特定範囲（１９０ｍｍ〜８００ｍｍの範囲）内において所定単位幅ΔＷ（ここでは１０ｍｍ）刻みの複数の異なる幅を有する。
【００２７】
当該複数の照明装置１は、それぞれ、少なくとも１つのＬＥＤユニット（発光ユニット）１０と少なくとも１つの電源ユニット３０と少なくとも１つのサイズ調整ユニット４０とを含む複数のユニットを備える。また、各照明装置１の長手方向（Ｙ方向）の両端において、各照明装置１はエンドカバー２（図１参照）をさらに備える。なお、各照明装置１のエンドカバー２は、各照明装置１の幅に応じて適宜準備されればよい。
【００２８】
以下では、複数の照明装置１のうち、まず、基本的構成を有する照明装置１Ａ（図１〜図４参照）について主に説明する。なお、照明装置１Ａ以外の各照明装置１（図１０〜図２０参照）も、照明装置１Ａと類似の構成を有している。
【００２９】
図１〜図４に示すように、照明装置１Ａは、２つのＬＥＤユニット１０と１つの電源ユニット３０とを備える。詳細には、図２等に示すように、照明装置１Ａの幅方向（Ｘ方向）において、２つのＬＥＤユニット１０に挟まれて電源ユニット３０が設けられている。換言すれば、１つの電源ユニット３０の左右両側（−Ｘ方向および＋Ｘ方向）に２つのＬＥＤユニット１０が設けられている。また、照明装置１Ａは、サイズ調整ユニット４０として、２つのサイドカバーユニット５０を備える。具体的には、左側のＬＥＤユニット１０の左側にサイドカバーユニット５０（５０Ａ）（図７（ａ）参照）が設けられ、右のＬＥＤユニット１０の右側にもサイドカバーユニット５０（５０Ａ）が設けられる。
【００３０】
つぎに、ＬＥＤユニット１０、電源ユニット３０、サイズ調整ユニット４０についてそれぞれ説明する。
【００３１】
＜１−２．ＬＥＤユニット１０＞
ＬＥＤユニット１０は、発光源としてＬＥＤ（発光ダイオード：Light Emitting Diode）を備える発光ユニットである。ＬＥＤユニット（発光ユニット）１０は、細長い略直方体形状を有しており、所定方向（Ｙ方向）に伸延して設けられる。図１および図２等に示されるように、ＬＥＤユニット１０は、ベース部材１１とカバー部材１２とを有する。ＬＥＤユニット１０は、ＸＺ断面において左右対称形状を有している。
【００３２】
ベース部材１１は、アルミニウムの押出成形等によって形成される長尺状の部材であり、図５に示されるような断面形状を有している。図５は、ベース部材１１の断面図である。
【００３３】
ＬＥＤユニット１０のベース部材１１は、互いに垂直な３つの外壁面（上面と左側面と右側面）と、当該３つの外壁面にそれぞれ対向する３つの内壁面とを有している。
【００３４】
ＬＥＤユニット１０のＸ方向の長さ（幅（有効幅））Ｗ１、具体的にはベース部材１１の左右の外壁面相互間の距離（左側面と右側面との間の距離）は、ここでは、５０ｍｍである。
【００３５】
また、ベース部材１１は、当該３つの内壁面で囲まれる内部空間を有し、ベース部材１１の内部空間の鉛直下方側（−Ｚ側）には開口部が設けられている。
【００３６】
ベース部材１１の３つの内壁面のうち、左側と右側との両面は、鉛直方向に対して傾斜して設けられている。詳細には、上方から下方に向けて当該両面の距離が徐々に拡がるように、当該両面は構成されている。
【００３７】
ベース部材１１の３つの内壁面のうち、上側の面（内部上面）には、ＬＥＤ基板１３が設けられている。このＬＥＤ基板１３には、複数の光源（ＬＥＤ光源）１５がＹ方向に配列されて設けられている。各光源１５からは下向きに照明光が照射される。
【００３８】
また、ベース部材１１の開口部には、カバー部材１２が固定されて設けられる。
【００３９】
カバー部材１２は、細長い薄板形状を有する半透明の部材である。カバー部材１２は、拡散板としての機能を有する。カバー部材１２の幅方向（Ｘ方向）における両端部は、ベース部材１１の開口部の左右両側（−Ｘ側および＋Ｘ側）に設けられた凹部（溝部）に嵌合する。これによって、カバー部材１２は、Ｘ方向およびＺ方向においてベース部材１１に対する移動が規制される。また、照明装置１のＹ方向の両端にエンドカバー２が装着されることによって、ベース部材１１に対するカバー部材１２のＹ方向の移動も規制される。このようにして、カバー部材１２は、ベース部材１１に対して固定される。
【００４０】
ＬＥＤユニット１０は、ベース部材１１の下側開口部に設けられたカバー部材（半透明の拡散板）１２を介して（間接的に）、当該開口部の外側（ここでは下方側）に向けて光を放出する。詳細には、複数の光源１５から出射された光（直接光）、および当該光がベース部材１１の内壁面で反射されて進行する反射光が、カバー部材１２を透過して、さらに下方に進行する。これにより、照明装置１の下方が照明される。なお、ここでは、ベース部材１１の下側開口部からカバー部材１２を介して間接的に照明光が照射されているが、これに限定されず、ベース部材１１の下側開口部から直接的に照明光が照射されるようにしてもよい。
【００４１】
各照明装置１において、ＬＥＤユニット１０の伸延方向（長手方向）（Ｙ方向）に対して垂直な方向（且つ鉛直方向（Ｚ方向）にも垂直な方向）であるＸ方向（幅方向）においては、ＬＥＤユニット１０に対して他のユニット（電源ユニット３０および／またはサイズ調整ユニット４０）が隣接配置される。たとえば、照明装置１Ａ（図２参照）においては、各ＬＥＤユニット１０の左右方向の一方側（例えば右側）に電源ユニット３０が配置され、他方側（例えば左側）にサイズ調整ユニット４０（詳細にはサイドカバーユニット５０Ａ）が配置される。
【００４２】
図５に示すように、ベース部材１１の両肩部には、ベース部材１１の上面（最上面）よりも一段下がった位置（凹んだ位置）に接合面１１ａ（凹部１１ａとも称する）が設けられている。この接合面１１ａには、隣接ユニットの突出部（たとえば電源ユニット３０の上側ベース部材３１の突出部３１ａ（図６参照））が接合される。また、ベース部材１１の下端側においては、凹部１１ｂが設けられている。ベース部材１１は、凹部１１ａ，１１ｂを用いることによって、隣接するユニット（電源ユニット３０等）と結合される。
【００４３】
＜１−３．電源ユニット３０＞
電源ユニット３０は、図２等に示すように、上側ベース部材３１と下側カバー部材３２とを備えて構成され、ＸＺ断面において左右対称形状を有している。また、電源ユニット３０は、カバー取付用部材３３とＬ字部材３４と固定部材３５と電力供給部３７とをさらに備える。上側ベース部材３１および下側カバー部材３２は、それぞれ、Ｙ方向において照明装置１のほぼ全長に亘って設けられる。一方、カバー取付用部材３３とＬ字部材３４と固定部材３５と電力供給部３７とは、それぞれ、Ｙ方向において部分的に且つ所定の位置に設けられる（図３参照）。なお、図示の便宜上、図３においては上側ベース部材３１は示されていない。
【００４４】
上側ベース部材３１および下側カバー部材３２は、それぞれ、アルミニウムの押出成形等によって形成される長尺状の部材であり、図６に示されるような断面形状を有している。図６は、電源ユニット３０の構成部品の断面図である。図６（ａ）には、上側ベース部材３１が示されており、図６（ｂ）には、下側カバー部材３２が示されている。また、図６（ｃ）には、カバー取付用部材３３が示されている。
【００４５】
上側ベース部材３１は、幅方向（Ｘ方向）の両端付近においてさらに左右方向外側に突出する突出部３１ａ，３１ａと、当該両端付近においてそれぞれ下向きに突出する下向き突出部３１ｂ，３１ｂとを有する。
【００４６】
また、電源ユニット３０は、Ｘ方向に隣接するユニット（ＬＥＤユニット１０等）に対して平行に（Ｙ方向に伸延して）設けられる。たとえば、照明装置１Ａにおいては、図１および図２等に示すように、電源ユニット３０は、隣接するＬＥＤユニット１０に対して平行に設けられる。具体的には、電源ユニット３０の上側ベース部材３１とＬＥＤユニットのベース部材１１とが締結具（ネジおよび／またはリベット等）で締結されて固定される。詳細には、ベース部材１１の角部付近に設けられた凹部（接合面）１１ａに対して上側ベース部材３１の突出部３１ａが接触し且つベース部材１１の側面に対して上側ベース部材３１の下向き突出部３１ｂが接触した状態で、当該両者３１，１１は締結具で締結されて固定される。すなわち、上側ベース部材３１の突出部３１ａと下向き突出部３１ｂとによって構成されるＬ字部分と、ベース部材１１の肩部付近の角部（接合面１１ａ等）とが接触した状態で、当該突出部３１ａと接合面１１ａとが締結具で締結される。これによって、両者３１，１１の全方向（Ｘ方向、Ｙ方向およびＺ方向）における相対移動が規制され、当該両者が固定される。
【００４７】
また、電源ユニット３０には、電力供給部３７（図３および図４参照）が設けられる。電力供給部３７は、ＬＥＤユニット１０に対して電力を供給するＡＣ／ＤＣコンバータ等によって構成される。
【００４８】
この電力供給部（電源部）３７は、上側ベース部材３１と下側カバー部材３２と電源ユニット３０の両隣に隣接する各ＬＥＤユニット１０の側面（隣接側面）とに挟まれて形成される内部空間に配置される（図４参照）。具体的には、図３および図４に示すように、電力供給部３７は、２つのＬ字部材３４（電力供給部３７固定用のＬ字部材３４）と２つの固定部材３５とを用いて、Ｙ方向の或る位置に（たとえばＹ方向の略中央に）配置される。詳細には、まず、電力供給部３７の配置場所付近において、電源ユニット３０の両側に隣接するユニット（たとえば２つのＬＥＤユニット１０（詳細にはベース部材１１））の隣接側面に対して各Ｌ字部材３４の鉛直面がネジ締結等によって固定される。これにより、２つのＬ字部材３４はＸ方向に離間して配置される。また、当該２つのＬ字部材３４は、Ｙ方向に離れて配置された２つの板状の固定部材３５を用いて接続されて固定される。詳細には、各固定部材３５の左端側（−Ｘ側）において固定部材３５とＬ字部材３４の水平面とが固定され、各固定部材３５の右端側（＋Ｘ側）において固定部材３５とＬ字部材３４の水平面とが固定される。そして、２つの固定部材３５上に電力供給部３７が載置される。
【００４９】
また、下側カバー部材３２は、カバー取付用部材３３と２つのＬ字部材３４とを用いて、電源ユニット３０の下側を覆う位置に設けられる（図２参照）。具体的には、カバー取付用部材３３は、図３に示すように、電力供給部３７固定用のＬ字部材３４とは別の２つのＬ字部材３４（カバー取付用部材３３固定用のＬ字部材３４）を用いて、Ｙ方向の一部分（たとえば、照明装置１のＹ方向における一端と中央との中間位置付近）に配置される。詳細には、まず、カバー取付用部材３３の配置場所付近において、電源ユニット３０の両側に隣接するユニット（たとえば２つのＬＥＤユニット１０）の隣接側面に対して、カバー取付用部材３３固定用の２つのＬ字部材３４の各鉛直面がネジの締結等によって固定される。これにより、当該２つのＬ字部材３４はＸ方向に離間して配置される。また、当該２つのＬ字部材３４は、カバー取付用部材３３を用いて接続され固定される。詳細には、各カバー取付用部材３３の左端側（−Ｘ側）においてカバー取付用部材３３とＬ字部材３４の水平面とが固定され、各カバー取付用部材３３の右端側（＋Ｘ側）においてカバー取付用部材３３とＬ字部材３４の水平面とが固定される。さらに、下側カバー部材３２がカバー取付用部材３３に対して接触した状態で、両者３３，３４がネジ締結等によって固定される。
【００５０】
このようにして、電源ユニット３０は、左右方向（幅方向）に隣接する両ユニット（たとえば２つのＬＥＤユニット１０）の相互間に所定幅（有効幅）Ｗ３（ここでは、７０ｍｍ）を有する状態で設けられる。詳細には、電源ユニット３０の比較的上側においては、上側ベース部材３１が隣接ユニットに固定され、電源ユニット３０の所定幅が実現される。また、電源ユニット３０の比較的下側においては、２つのＬ字部材３４と固定部材３５とが所定の位置関係で固定され且つ２つのＬ字部材３４とカバー取付用部材３３とが所定の位置関係で固定されることによって、電源ユニット３０の所定幅が実現される。
【００５１】
また、電力供給部３７とＬＥＤユニット１０とを接続する電力供給用ケーブルは、ＬＥＤユニット１０の側面に設けられた孔を通って配置される。
【００５２】
また、上側ベース部材３１の適宜の位置には、照明装置１を天井に取り付ける（天井から吊り下げる）ための孔等が設けられている。すなわち、電源ユニット３０は、照明装置１の吊り下げ機能を実現するユニットでもあり、吊り下げユニットとも称される。
【００５３】
＜１−４．サイズ調整ユニット４０＞
また、各照明装置１は、そのＸ方向の長さ（幅）を調整するサイズ調整ユニット４０を備える。詳細には、各照明装置１は、複数の種類のサイズ調整ユニット４０のいずれかを備える。この実施形態では、複数の種類のサイズ調整ユニット４０として、複数の種類のサイドカバーユニット５０と複数の種類の幅調整ジョイントユニット６０と複数の種類の発光部用ジョイントユニット７０とが存在する。
【００５４】
たとえば、照明装置１Ａは、２つのサイドカバーユニット５０をサイズ調整ユニット４０として備える。
【００５５】
＜サイドカバーユニット５０＞
各サイドカバーユニット５０は、アルミニウムの押出成形等によって形成される長尺状の部材であり、Ｙ方向に伸延して設けられる。各サイドカバーユニット５０は、図７に示されるような断面形状を有している。図７は、サイドカバーユニット５０の断面図である。
【００５６】
サイドカバーユニット５０としては、互いにその幅（有効幅）が異なる３種類のサイドカバーユニット５０Ａ，５０Ｂ，５０Ｃが存在する（図７（ａ）〜（ｃ）参照）。ここでは、３種類のサイドカバーユニット５０Ａ，５０Ｂ，５０Ｃの各幅（有効幅）Ｗ５（Ｗ５１，Ｗ５２，Ｗ５３）は、それぞれ、１０ｍｍ、１５ｍｍ、２０ｍｍである。換言すれば、所定単位幅ΔＷ（１０ｍｍ）の半分の値（半値）（５ｍｍ）に対して互いに異なる倍数（２倍、３倍、４倍）を乗じた互いに異なる幅を有するＰ種類（ただし、Ｐは自然数）（ここではＰ＝３）のサイドカバーユニット５０Ａ，５０Ｂ，５０Ｃが、照明装置１にて配置されるサイドカバーユニット５０の候補として存在する。
【００５７】
たとえば、図７（ａ）に示すように、サイドカバーユニット５０Ａは、その有効幅Ｗ５１と同じ幅のベース部５１ｃを有する。また、サイドカバーユニット５０Ａは、上端部において有効幅よりもさらに右方向に突出する突出部（凸部）５１ａを有するとともに、下端側においてベース部５１ｃから右方向に突出する鉤状突出部（下向きＬ字部）５１ｂを有する。突出部５１ａ，５１ｂを用いることによって、隣接するユニットと結合される。たとえば、図２に示すように、ＬＥＤユニット１０のベース部材１１の下側の凹部１１ｂに突出部５１ｂが係合し且つベース部材１１の上側の凹部１１ａに突出部５１ａが接触した状態で、突出部５１ａが凹部１１ａに対して締結具を用いて固定されることによって、サイドカバーユニット５０とＬＥＤユニット１０とが固定される。なお、その他のサイドカバーユニット５０Ｂ，５０Ｃも、その有効幅が異なる点を除いて、サイドカバーユニット５０Ａと同様の構成を有している。
【００５８】
これらのサイドカバーユニット５０（５０Ａ〜５０Ｃ）は、各照明装置１の左右方向（Ｘ方向）の両側端に１個ずつ合計２個設けられる。また、１つの照明装置１には、同サイズの２つのサイドカバーユニット５０が設けられる。この場合、照明装置１の幅方向において、各サイドカバーユニット５０Ａ〜５０Ｃの幅の２倍の大きさに相当する幅が２つのサイドカバーユニット５０によって占められる。したがって、照明装置１に装着すべきサイドカバーユニット５０を３種類のサイドカバーユニット５０Ａ，５０Ｂ，５０Ｃの中から選択することによって、「＋２０ｍｍ」（＝１０ｍｍ×２）、「＋３０ｍｍ」（＝１５ｍｍ×２）、「＋４０ｍｍ」（＝２０ｍｍ×２）の３種類の異なる調整幅ＷＪが実現される。換言すれば、３種類の異なる幅を有する照明装置１が実現される（図１１等参照）。
【００５９】
また、図２等に示すように、Ｘ方向における一方端側（たとえば左端側）のサイドカバーユニット５０（５０Ａ等）と他方端側（たとえば右端側）のサイドカバーユニット５０（５０Ａ等）とは、互いに左右反転した形状を有している。図７に示すように各サイドカバーユニット５０自体はＸＺ断面において左右対称形状を有するものではない。ただし、一方端側のサイドカバーユニット５０を所定の鉛直軸を中心に１８０度回転させて長手方向（Ｙ方向）における手前側と奥側とを反転させることによって、他方端側のサイドカバーユニット５０としても用いられ得る。すなわち、左端側のサイドカバーユニット５０と右端側のサイドカバーユニット５０とは、いずれも、同じ種類且つ同じ形状の部品により構成される。換言すれば、各サイドカバーユニット５０は、左端側用および右端側用として兼用される。したがって、部品種類数を抑制することが可能である。
【００６０】
なお、サイドカバーユニット５０としては、サイドカバーユニット５０Ａと同じ有効幅Ｗ５１（１０ｍｍ）を有するサイドカバーユニット５０Ｅ（図７（ｄ）参照）も存在する。このサイドカバーユニット５０Ｅは、後述する照明装置１Ｚ（図１０）を構築する際に用いられる。サイドカバーユニット５０Ｅは、突出部５１ａの代わりに凹部５１ｄを有している。当該凹部５１ｄと電源ユニット３０の突出部３１ａとを用いることにより、サイドカバーユニット５０Ｅと電源ユニット３０とが結合される。
【００６１】
＜幅調整ジョイントユニット６０＞
また、各照明装置１においては、その幅方向の指定大きさ（指定幅ＷＤ）に応じて、複数の幅調整ジョイントユニット６０がサイズ調整ユニット４０としてさらに設けられることがある。
【００６２】
各幅調整ジョイントユニット６０は、アルミニウムの押出成形等によって形成される長尺状の部材であり、Ｙ方向に伸延して設けられる。各幅調整ジョイントユニット６０は、図８に示されるような断面形状を有している。
【００６３】
図８は、幅調整ジョイントユニット６０の断面図である。図８に示すように、幅調整ジョイントユニット６０としては、互いにその幅（有効幅）が異なる２種類の幅調整ジョイントユニット６０Ｂ，６０Ｄが存在する（図８（ａ），（ｂ）参照）。ここでは、２種類の幅調整ジョイントユニット６０Ｂ，６０Ｄの各幅（有効幅）Ｗ６（Ｗ６２，Ｗ６４）は、それぞれ、１５ｍｍ、２５ｍｍである。換言すれば、所定単位幅ΔＷ（１０ｍｍ）の半値（５ｍｍ）に対して互いに異なる倍数（３倍、５倍）を乗じた互いに異なる幅を有するＱ種類（ただし、Ｑは自然数）（ここではＱ＝２）の幅調整ジョイントユニット６０Ｂ，６０Ｄが、照明装置１にて配置される幅調整ジョイントユニット６０の候補として存在する。
【００６４】
たとえば、図８（ａ）に示すように、幅調整ジョイントユニット６０Ｂは、その有効幅Ｗ６２と同じ幅のベース部６１ｃを有する。
【００６５】
幅調整ジョイントユニット６０Ｂは、その上端部において、幅調整ジョイントユニット６０Ｂの左端から有効幅Ｗ６２右側の位置よりもさらに右方向に突出する突出部６１ａを有する。また、幅調整ジョイントユニット６０Ｂは、その下端側において、ベース部６１ｃから右方向に突出する鉤状突出部（下向きＬ字部）６１ｂを有する。突出部（凸部）６１ａ，６１ｂを用いることによって、隣接するユニットと結合される。たとえば、ＬＥＤユニット１０のベース部材１１の下側の凹部１１ｂに突出部６１ｂが係合し且つベース部材１１の上側の凹部１１ａに突出部６１ａが接触した状態で、突出部６１ａが凹部１１ａに対して締結具を用いて固定されることによって、幅調整ジョイントユニット６０とＬＥＤユニット１０とが固定される。
【００６６】
また、幅調整ジョイントユニット６０Ｂは、その最上面よりも一段下がった接合面６１ｅを有している。また、幅調整ジョイントユニット６０Ｂの下端側においては、凹部６１ｆが設けられている。幅調整ジョイントユニット６０Ｂは、接合面６１ｅと凹部６１ｆとを用いることによって、隣接するユニットと結合される。たとえば、サイドカバーユニット５０の下側の突出部５１ｂ（図７参照）が凹部６１ｆに係合し且つサイドカバーユニット５０の上側の突出部５１ａが接合面６１ｅに接触した状態で、突出部５１ａが接合面６１ｅに対して締結具を用いて固定されることによって、サイドカバーユニット５０と幅調整ジョイントユニット６０とが固定される。
【００６７】
なお、その他のサイドカバーユニット６０Ｄも、その有効幅が異なる点を除いて、幅調整ジョイントユニット６０Ｂと同様の構成を有している。
【００６８】
後述するように、これらの幅調整ジョイントユニット６０（６０Ｂ，６０Ｄ）は、たとえば両端のサイドカバーユニット５０に対する隣接位置（中央寄りの位置）に（図１２等参照）、あるいは、ＬＥＤユニット１０と電源ユニット３０との間に設けられる（図１４等参照）。当該幅調整ジョイントユニット６０は、照明装置１の左右方向（Ｘ方向）において中心位置を挟んで両側に設けられる。すなわち、１つの照明装置１には、偶数個の幅調整ジョイントユニット６０が設けられる。この場合、照明装置１の幅方向において、各幅調整ジョイントユニット６０の幅の２倍の大きさに相当する幅が偶数個の幅調整ジョイントユニット６０によって占められる。したがって、幅調整ジョイントユニット６０Ｂ，６０Ｄを用いることによって、それぞれ、３０ｍｍ、５０ｍｍ単位でその幅を調整することが可能である。
【００６９】
図８に示すように、各幅調整ジョイントユニット６０自体はＸＺ断面において左右対称形状を有するものではない。ただし、左側の幅調整ジョイントユニット６０を所定の鉛直軸を中心に１８０度回転させて長手方向（Ｙ方向）における手前側と奥側とを反転させることによって、右側の幅調整ジョイントユニット６０としても用いられる。換言すれば、各幅調整ジョイントユニット６０は、左側用および右側用として兼用される。したがって、部品種類数を抑制することが可能である。
【００７０】
＜発光部用ジョイントユニット７０＞
また、各照明装置１においては、その幅方向の指定大きさ（指定幅ＷＤ）に応じて、複数の発光部用ジョイントユニット７０がサイズ調整ユニット４０としてさらに設けられることがある。
【００７１】
発光部用ジョイントユニット７０は、互いに隣接するＬＥＤユニット１０同士を互いに接続するユニットである。発光部用ジョイントユニット７０は、照明装置１の幅調整機能をも有している。
【００７２】
各発光部用ジョイントユニット７０は、アルミニウムの押出成形等によって形成される長尺状の部材であり、Ｙ方向に伸延して設けられる。各発光部用ジョイントユニット７０は、図９に示されるような断面形状を有している。なお、図９は、発光部用ジョイントユニット７０の断面図である。ただし、図９においては、４つの発光部用ジョイントユニット７０Ａ〜７０Ｄ（次述）のうち、発光部用ジョイントユニット７０Ａ，７０Ｄのみが示されている。
【００７３】
発光部用ジョイントユニット７０としては、互いにその幅（有効幅）が異なる４種類の発光部用ジョイントユニット７０Ａ〜７０Ｄが存在する（図９参照）。ここでは、４種類の幅調整ジョイントユニット７０Ａ，７０Ｂ，７０Ｃ，７０Ｄの各幅（有効幅）Ｗ７（Ｗ７１，Ｗ７２，Ｗ７３，Ｗ７４）は、それぞれ、１０ｍｍ、１５ｍｍ、２０ｍｍ、２５ｍｍである。換言すれば、幅調整ジョイントユニット７０Ａ，７０Ｂ，７０Ｃ，７０Ｄは、それぞれ、所定単位幅ΔＷ（１０ｍｍ）の半値（５ｍｍ）の倍数（２倍、３倍、４倍、５倍）の幅を有している。
【００７４】
各発光部用ジョイントユニット７０は、それぞれ、ＸＺ断面において左右対称形状を有している。図９に示すように、各発光部用ジョイントユニット７０は、それぞれ、その有効幅Ｗ７（Ｗ７１，Ｗ７２，Ｗ７３，Ｗ７４）と同じ幅のベース部７１ｃを有する。また、各発光部用ジョイントユニット７０は、上端部において左方向および右方向に突出する突出部７１ａ，７１ａを有するとともに、下端側において左方向および右方向に突出する鉤状突出部（下向きＬ字部）７１ｂ，７１ｂを有する。ベース部材１１の下側の凹部１１ｂに突出部７１ｂが係合し且つベース部材１１の上側の凹部１１ａに突出部７１ａが接触した状態で、突出部７１ａが凹部１１ａに対して締結具を用いて固定されることによって、発光部用ジョイントユニット７０とＬＥＤユニット１０とが固定される。
【００７５】
これらのサイズ調整ユニット４０を用いることによって、異なる幅の照明装置１を効率的に構築することが可能である。
【００７６】
＜２．照明装置群＞
次に、図１０から図２０を参照しつつ、異なる幅を有する複数の照明装置１について説明する。複数の照明装置１は、互いに異なる様々な幅を有する装置として構成される。上述のように、照明装置の配置場所の諸事情等に応じて、当該照明装置に関する所望の幅が指定される。より詳細には、（主に所定単位長ΔＷ刻みの）複数の候補値の中から指定された幅が指定される。そして、指定された幅（指定幅）ＷＤを有する照明装置１が構築される。
【００７７】
所望の幅を有する照明装置１は、複数のユニットの組み合わせによって実現され、その都度設計されることを要さずに構築される。なお、図１０〜図２０は、ＸＺ平面に平行な平面における各照明装置１の断面図（概略図）である。これらの図では、各ユニットの詳細は省略されており、各ユニット１０，３０，４０（５０，６０，７０）は、ハッチングが付された矩形を用いて概念的に示されている。
【００７８】
各照明装置１は、図１０の照明装置１（１Ｚ）を除き、左右対称のユニット構成を有している。具体的には、各照明装置１は、幅方向において中心に対して一方側（たとえば左側）に設けられる各ユニットの個数および種類と、他方側（たとえば右側）に設けられる各ユニットの個数および種類とがそれぞれ同じである。これによれば、部品種類数を抑制することが可能である。
【００７９】
まず、図１１〜図１４を参照しつつ、サイズ調整ユニット４０に関する基本的な幅調整機能、および当該幅調整機能に基づいて構成される幾つかの照明装置１（１Ａ〜１Ｌ）について説明する。
【００８０】
＜２−１．２つのＬＥＤユニットと１つの電源ユニットとを備える照明装置＞
＜照明装置１Ａ〜１Ｃ＞
図１１の最上段においては、基本的構成を有する照明装置１（１Ａ）が示されている。この照明装置１Ａは、上述のように、２つのＬＥＤユニット１０と１つの電源ユニット３０とを備える。また、２つのサイドカバーユニット５０Ａも設けられる。
【００８１】
ここにおいて、１つのＬＥＤユニット１０のＸ方向の長さ（幅）Ｗ１は、５０ｍｍであり、１つの電源ユニット３０の幅Ｗ３は、７０ｍｍである。また、サイドカバーユニット５０Ａの幅Ｗ５１は、１０ｍｍ（所定単位長（所定単位幅とも称する）ΔＷの１倍）である。その結果、図１１の最上段の照明装置１Ａの幅ＴＷは、２つのＬＥＤユニット１０の幅（１００ｍｍ＝５０ｍｍ×２）と１つの電源ユニット３０の幅（７０ｍｍ）との合計値ＷＡ２（１７０ｍｍ）に、２つのサイドカバーユニット５０Ａの幅の合計値（２０ｍｍ＝１０ｍｍ×２）を加えた値（１９０ｍｍ）である。このように、サイズ調整ユニット４０（ここでは２つのサイドカバーユニット５０Ａ）によって「＋２０ｍｍ」の調整が行われている。
【００８２】
指定幅ＷＤが「１９０ｍｍ」である場合には、このような照明装置１Ａが構築される。
【００８３】
また、指定幅ＷＤが「２００ｍｍ」である場合には、照明装置１Ｂ（次述）が構築され、指定幅ＷＤが「２１０ｍｍ」である場合には、照明装置１Ｃ（次述）が構築される。なお、以後同様に、各指定幅ＷＤに対応する照明装置１が構築される。
【００８４】
図１１の中段および最下段の各照明装置１（１Ｂ，１Ｃ）は、それぞれ、サイドカバーユニット５０の幅が異なる点を除いて、同図最上段の照明装置１Ａと同様の構成を有している。
【００８５】
図１１の中段の照明装置１Ｂは、サイドカバーユニット５０Ａに代えてサイドカバーユニット５０Ｂを有している。サイドカバーユニット５０Ｂ（図７（ｂ）参照）の幅は、１５ｍｍ（所定単位長ΔＷの１．５倍、換言すれば、所定単位長ΔＷの半値（ここでは５ｍｍ）の整数倍（３倍））である。この照明装置１Ｂの幅ＴＷは、２つのＬＥＤユニット１０の幅と１つの電源ユニット３０の幅との合計値ＷＡ２（１７０ｍｍ）に、２つのサイドカバーユニット５０Ｂの幅の合計値（３０ｍｍ＝１５ｍｍ×２）を加えた値（２００ｍｍ）である。このように、サイズ調整ユニット４０（ここでは２つのサイドカバーユニット５０Ｂ）によって「＋３０ｍｍ」の調整が行われている。
【００８６】
同様に、図１１の最下段の照明装置１Ｃは、サイドカバーユニット５０Ａに代えてサイドカバーユニット５０Ｃを有している。サイドカバーユニット５０Ｃ（図７（ｃ）参照）の幅は、２０ｍｍ（所定単位長ΔＷの２倍、換言すれば、所定単位長ΔＷの半値（ここでは５ｍｍ）の４倍）である。この照明装置１Ｃの幅ＴＷは、２つのＬＥＤユニット１０の幅と１つの電源ユニット３０の幅との合計値ＷＡ２（１７０ｍｍ）に、２つのサイドカバーユニット５０Ｃの幅の合計値（４０ｍｍ＝２０ｍｍ×２）を加えた値（２１０ｍｍ）である。このように、サイズ調整ユニット４０（ここでは２つのサイドカバーユニット５０Ｃ）によって「＋４０ｍｍ」の調整が行われている。
【００８７】
＜照明装置１Ｄ〜１Ｈ＞
図１２および図１３の照明装置１（１Ｄ〜１Ｈ）は、それぞれ、両サイドに設けられるサイズ調整ユニット４０の構成が異なる点を除いて、図１１の最上段の照明装置１（１Ａ）と同様の構成を有している。これらの照明装置１Ｄ〜１Ｈにおいては、サイドカバーユニット５０と幅調整ジョイントユニット６０との双方が組み合わせて用いられることによって、サイズ調整ユニット４０が構成されている。
【００８８】
図１２の最上段の照明装置１Ｄは、左側のＬＥＤユニット１０の更に左側に、幅調整ジョイントユニット６０Ｂとサイドカバーユニット５０Ａとを有するとともに、右側のＬＥＤユニット１０の更に右側に、幅調整ジョイントユニット６０Ｂとサイドカバーユニット５０Ａとを有している。換言すれば、ＬＥＤユニット１０とサイドカバーユニット５０Ａとの間に幅調整ジョイントユニット６０Ｂが配置されている。
【００８９】
幅調整ジョイントユニット６０Ｂの幅（Ｗ６２）は、１５ｍｍ（所定単位長ΔＷの１．５倍、換言すれば、所定単位長ΔＷの半値（ここでは５ｍｍ）の整数倍（３倍））である。また、サイドカバーユニット５０Ａの幅は、１０ｍｍである。この照明装置１Ｄの幅ＴＷは、２つのＬＥＤユニット１０の幅と１つの電源ユニット３０の幅との合計値ＷＡ２（１７０ｍｍ）に、２つのサイドカバーユニット５０Ａの幅（２０ｍｍ＝１０ｍｍ×２）と２つの幅調整ジョイントユニット６０Ｂの幅（３０ｍｍ＝１５ｍｍ×２）との合計値（５０ｍｍ）を加算した値（２２０ｍｍ）である。このように、サイズ調整ユニット４０（ここでは２つのサイドカバーユニット５０Ａおよび２つの幅調整ジョイントユニット６０Ｂ）によって「＋５０ｍｍ」の調整が行われている。
【００９０】
図１２の最下段の照明装置１Ｅは、左側のＬＥＤユニット１０の更に左側に、幅調整ジョイントユニット６０Ｂとサイドカバーユニット５０Ｂとを有するとともに、右側のＬＥＤユニット１０の更に右側に、幅調整ジョイントユニット６０Ｂとサイドカバーユニット５０Ｂとを有している。
【００９１】
サイドカバーユニット５０Ｂの幅は、１５ｍｍであり、幅調整ジョイントユニット６０Ｂの幅は、１５ｍｍである。したがって、この照明装置１Ｅの幅ＴＷは、２つのＬＥＤユニット１０の幅と１つの電源ユニット３０の幅との合計値ＷＡ２（１７０ｍｍ）に、２つのサイドカバーユニット５０Ｂの幅（３０ｍｍ＝１５ｍｍ×２）と２つの幅調整ジョイントユニット６０Ｂの幅（３０ｍｍ＝１５ｍｍ×２）との合計値（６０ｍｍ）を加算した値（２３０ｍｍ）である。このように、サイズ調整ユニット４０（ここでは２つのサイドカバーユニット５０Ｂと２つの幅調整ジョイントユニット６０Ｂ）によって「＋６０ｍｍ」の調整が行われている。
【００９２】
図１３の最上段の照明装置１Ｆは、左側のＬＥＤユニット１０の更に左側に、幅調整ジョイントユニット６０Ｄとサイドカバーユニット５０Ａとを有するとともに、右側のＬＥＤユニット１０の更に右側に、幅調整ジョイントユニット６０Ｄとサイドカバーユニット５０Ａとを有している。
【００９３】
幅調整ジョイントユニット６０Ｄの幅（Ｗ６４）は、２５ｍｍ（所定単位長ΔＷの２．５倍、換言すれば、所定単位長ΔＷの半値（ここでは５ｍｍ）の整数倍（５倍））である。また、サイドカバーユニット５０Ａの幅は、１０ｍｍである。したがって、この照明装置１Ｆの幅ＴＷは、２つのＬＥＤユニット１０の幅と１つの電源ユニット３０の幅との合計値ＷＡ２（１７０ｍｍ）に、２つのサイドカバーユニット５０Ａの幅（２０ｍｍ＝１０ｍｍ×２）と２つの幅調整ジョイントユニット６０Ｄの幅（５０ｍｍ＝２５ｍｍ×２）との合計値（７０ｍｍ）を加算した値（２４０ｍｍ）である。このように、サイズ調整ユニット４０（ここでは２つのサイドカバーユニット５０Ａと２つの幅調整ジョイントユニット６０Ｄ）によって「＋７０ｍｍ」の調整が行われている。
【００９４】
図１３の中段の照明装置１Ｇは、左側のＬＥＤユニット１０の更に左側に、幅調整ジョイントユニット６０Ｄとサイドカバーユニット５０Ｂとを有するとともに、右側のＬＥＤユニット１０の更に右側に、幅調整ジョイントユニット６０Ｄとサイドカバーユニット５０Ｂとを有している。
【００９５】
幅調整ジョイントユニット６０Ｄの幅は、２５ｍｍであり、サイドカバーユニット５０Ｂの幅は、１５ｍｍである。したがって、この照明装置１Ｇの幅ＴＷは、２つのＬＥＤユニット１０の幅と１つの電源ユニット３０の幅との合計値ＷＡ２（１７０ｍｍ）に、２つのサイドカバーユニット５０Ｂの幅（３０ｍｍ＝１５ｍｍ×２）と２つの幅調整ジョイントユニット６０Ｄの幅（５０ｍｍ＝２５ｍｍ×２）との合計値（８０ｍｍ）を加算した値（２５０ｍｍ）である。このように、サイズ調整ユニット４０（ここでは２つのサイドカバーユニット５０Ｂと２つの幅調整ジョイントユニット６０Ｄ）によって「＋８０ｍｍ」の調整が行われている。
【００９６】
図１３の最下段の照明装置１Ｈは、左側のＬＥＤユニット１０の更に左側に、幅調整ジョイントユニット６０Ｄとサイドカバーユニット５０Ｃとを有するとともに、右側のＬＥＤユニット１０の更に右側に、幅調整ジョイントユニット６０Ｄとサイドカバーユニット５０Ｃとを有している。
【００９７】
幅調整ジョイントユニット６０Ｄの幅は、２５ｍｍであり、サイドカバーユニット５０Ｃの幅は、２０ｍｍである。したがって、この照明装置１Ｈの幅ＴＷは、２つのＬＥＤユニット１０の幅と１つの電源ユニット３０の幅との合計値ＷＡ２（１７０ｍｍ）に、２つのサイドカバーユニット５０Ｃの幅（４０ｍｍ＝２０ｍｍ×２）と２つの幅調整ジョイントユニット６０Ｄの幅（５０ｍｍ＝２５ｍｍ×２）との合計値（９０ｍｍ）を加算した値（２６０ｍｍ）である。このように、サイズ調整ユニット４０（ここでは２つのサイドカバーユニット５０Ｂと２つの幅調整ジョイントユニット６０Ｄ）によって「＋９０ｍｍ」の調整が行われている。
【００９８】
＜照明装置１Ｉ〜１Ｌ＞
図１４の照明装置１（１Ｉ〜１Ｌ）は、それぞれ、幅調整ジョイントユニット６０がサイドカバーユニット５０の隣接位置のみならず電源ユニット３０の両側にも設けられている点において、図１２および図１３の照明装置１とは異なる構成を有している。
【００９９】
これらのうち上側から３つの照明装置１Ｉ〜１Ｋは、それぞれ、中央の電源ユニット３０の左側に幅調整ジョイントユニット６０Ｂを有し、当該幅調整ジョイントユニット６０Ｂの更に左側にＬＥＤユニット１０を有する。また、当該３つの照明装置１Ｉ〜１Ｋは、それぞれ、中央の電源ユニット３０の右側に幅調整ジョイントユニット６０Ｂを有し、当該幅調整ジョイントユニット６０Ｂの更に右側にＬＥＤユニット１０を有する。
【０１００】
図１４の最上段の照明装置１Ｉは、左側のＬＥＤユニット１０の更に左側に、幅調整ジョイントユニット６０Ｄとサイドカバーユニット５０Ａとを有するとともに、右側のＬＥＤユニット１０の更に右側に、幅調整ジョイントユニット６０Ｄとサイドカバーユニット５０Ａとを有している。
【０１０１】
この照明装置１Ｉの幅ＴＷは、２つのＬＥＤユニット１０の幅と１つの電源ユニット３０の幅との合計値ＷＡ２（１７０ｍｍ）に、２つのサイドカバーユニット５０Ａの幅（２０ｍｍ＝１０ｍｍ×２）と２つの幅調整ジョイントユニット６０Ｄの幅（５０ｍｍ＝２５ｍｍ×２）と２つの幅調整ジョイントユニット６０Ｂの幅（３０ｍｍ＝１５ｍｍ×２）との合計値（１００ｍｍ）を加算した値（２７０ｍｍ）である。このように、サイズ調整ユニット４０（ここでは２つのサイドカバーユニット５０Ａと２つの幅調整ジョイントユニット６０Ｂと２つの幅調整ジョイントユニット６０Ｄ）によって「＋１００ｍｍ」の調整が行われている。
【０１０２】
図１４の上から２段目の照明装置１Ｊは、左側のＬＥＤユニット１０の更に左側に、幅調整ジョイントユニット６０Ｄとサイドカバーユニット５０Ａとを有するとともに、右側のＬＥＤユニット１０の更に右側に、幅調整ジョイントユニット６０Ｄとサイドカバーユニット５０Ａとを有している。
【０１０３】
この照明装置１Ｊの幅ＴＷは、２つのＬＥＤユニット１０の幅と１つの電源ユニット３０の幅との合計値ＷＡ２（１７０ｍｍ）に、２つのサイドカバーユニット５０Ｂの幅（３０ｍｍ＝１５ｍｍ×２）と２つの幅調整ジョイントユニット６０Ｄの幅（５０ｍｍ＝２５ｍｍ×２）と２つの幅調整ジョイントユニット６０Ｂの幅（３０ｍｍ＝１５ｍｍ×２）との合計値（１１０ｍｍ）を加算した値（２８０ｍｍ）である。このように、サイズ調整ユニット４０（ここでは２つのサイドカバーユニット５０Ｂと２つの幅調整ジョイントユニット６０Ｂと２つの幅調整ジョイントユニット６０Ｄ）によって「＋１１０ｍｍ」の調整が行われている。
【０１０４】
図１４の上から３段目の照明装置１Ｋは、左側のＬＥＤユニット１０の更に左側に、幅調整ジョイントユニット６０Ｄとサイドカバーユニット５０Ｃとを有するとともに、右側のＬＥＤユニット１０の更に右側に、幅調整ジョイントユニット６０Ｄとサイドカバーユニット５０Ｃとを有している。
【０１０５】
この照明装置１Ｋの幅ＴＷは、２つのＬＥＤユニット１０の幅と１つの電源ユニット３０の幅との合計値ＷＡ２（１７０ｍｍ）に、２つのサイドカバーユニット５０Ｃの幅（４０ｍｍ＝２０ｍｍ×２）と２つの幅調整ジョイントユニット６０Ｄの幅（５０ｍｍ＝２５ｍｍ×２）と２つの幅調整ジョイントユニット６０Ｂの幅（３０ｍｍ＝１５ｍｍ×２）との合計値（１２０ｍｍ）を加算した値（２９０ｍｍ）である。このように、サイズ調整ユニット４０（ここでは２つのサイドカバーユニット５０Ｃと２つの幅調整ジョイントユニット６０Ｂと２つの幅調整ジョイントユニット６０Ｄ）によって「＋１２０ｍｍ」の調整が行われている。
【０１０６】
なお、図１４の照明装置１（１Ｉ〜１Ｌ）においては、幅調整ジョイントユニット６０Ｂと幅調整ジョイントユニット６０Ｄとは逆に配置されるようにしてもよい。具体的には、電源ユニット３０の隣接位置に幅調整ジョイントユニット６０Ｄが配置され、サイドカバーユニット５０の隣接位置に幅調整ジョイントユニット６０Ｂが配置されるようにしてもよい。
【０１０７】
図１４の最下段の照明装置１Ｌは、中央の電源ユニット３０の左側に幅調整ジョイントユニット６０Ｄを有し、当該幅調整ジョイントユニット６０Ｄの更に左側にＬＥＤユニット１０を有する。また、当該照明装置１Ｌは、中央の電源ユニット３０の右側に幅調整ジョイントユニット６０Ｄを有し、当該幅調整ジョイントユニット６０Ｄの更に右側にＬＥＤユニット１０を有する。
【０１０８】
また、図１４の最上段の照明装置１Ｌは、左側のＬＥＤユニット１０の更に左側に、幅調整ジョイントユニット６０Ｄとサイドカバーユニット５０Ｂとを有するとともに、右側のＬＥＤユニット１０の更に右側に、幅調整ジョイントユニット６０Ｄとサイドカバーユニット５０Ｂとを有している。
【０１０９】
この照明装置１Ｌの幅ＴＷは、２つのＬＥＤユニット１０の幅と１つの電源ユニット３０の幅との合計値ＷＡ２（１７０ｍｍ）に、２つのサイドカバーユニット５０Ｂの幅（３０ｍｍ＝１５ｍｍ×２）と４つの幅調整ジョイントユニット６０Ｄの幅（１００ｍｍ＝２５ｍｍ×４）との合計値（１３０ｍｍ）を加算した値（３００ｍｍ）である。このように、サイズ調整ユニット４０（ここでは２つのサイドカバーユニット５０Ａと４つの幅調整ジョイントユニット６０Ｄ）によって「＋１３０ｍｍ」の調整が行われている。
【０１１０】
以上のように、各照明装置１は、その幅方向（Ｘ方向）において、少なくとも１つの発光ユニットと少なくとも１つの電源ユニットと少なくとも１つのサイズ調整ユニットとを含む複数のユニットが組み合わせて配置されることによって構成される。これによれば、様々な幅の照明装置１を効率的に構築することが可能である。
【０１１１】
特に、各照明装置１は、ＬＥＤユニット１０と電源ユニット３０とサイズ調整ユニット４０とを含む複数のユニットに関する異なる複数の組合せによって構築される所定単位長ΔＷ刻みの異なる複数の幅を有する複数の照明装置のうちの１つの照明装置として構築される。詳細には、所定単位幅ΔＷ刻みの異なる複数の幅に対応する、複数の種類のサイズ調整ユニット４０の組合せの中から、適宜のサイズ調整ユニット４０が選択され、当該サイズ調整ユニット４０を用いて照明装置１が構築される。
【０１１２】
たとえば、図１１〜図１４に示すように、所定数（ここでは２つ）のＬＥＤユニット１０と所定数（ここでは１つ）の電源ユニット３０との組み合わせが同一である複数の照明装置１において、複数のサイズ調整ユニット４０（サイドカバーユニット５０、幅調整ジョイントユニット６０）のうちの適宜のユニットが選択されて用いられる。また、複数のサイズ調整ユニット４０に関する適宜の組合せによって、所定単位長ΔＷ（ここでは１０ｍｍ）刻みの複数の異なる調整量が実現される。複数のサイズ調整ユニット４０は、所定範囲（２０ｍｍ〜１３０ｍｍ）内において所定単位長ΔＷ（１０ｍｍ）刻みの複数の異なる幅（且つ所定単位長ΔＷの整数倍）を実現する。
【０１１３】
これによれば、所定単位幅刻みの異なる複数の幅を有する複数の照明装置を効率的に構築することが可能である。
【０１１４】
また、上記複数の照明装置１においては、３種類（Ｐ＝３）のサイドカバーユニット５０Ａ，５０Ｂ，５０Ｃと２種類（Ｑ＝２）の幅調整ジョイントユニット６０Ｂ，６０Ｄとに関する組合せによって、Ｒ段階（ただし、値Ｒは自然数であり、且つ、Ｒ＞Ｐ＋Ｑ）の幅の値が実現される。なお、サイドカバーユニット５０と幅調整ジョイントユニット６０とに関する組合せには、照明装置１Ａ（図１１の最上段参照）のように、サイドカバーユニット５０（５０Ａ）のみで構成されるものも含まれる。
【０１１５】
具体的には、少なくとも、２０ｍｍ〜１３０ｍｍの範囲で所定単位長ΔＷ（１０ｍｍ）刻みの１２段階（Ｒ＝１２）の幅の値が実現される。そして、照明装置１に配置された２つのＬＥＤユニット１０の幅（ここでは、１００ｍｍ＝５０ｍｍ×２）と１つの電源ユニット３０の幅（ここでは７０ｍｍ）との合計幅ＷＡ２（１７０ｍｍ）を指定幅ＷＤ（１９０ｍｍ〜３００ｍｍ）から差し引いた調整幅ＷＪ（２０ｍｍ〜１３０ｍｍ）が複数のサイズ調整ユニット４０の合計幅に等しくなるように、複数のサイズ調整ユニット４０が複数の種類のサイズ調整ユニット４０（５０Ａ〜５０Ｃ，６０Ｂ，６０Ｄ等）の中から選択される。詳細には、照明装置１に配置されたユニット１０，３０の合計幅ＷＡを指定幅ＷＤから差し引いた値が、２つのサイドカバーユニット５０と偶数個の幅調整ジョイントユニット６０との合計幅（且つ、上記Ｒ段階の幅の値のいずれかの値）に等しくなるように、照明装置１に配置されるべき幅調整ジョイントユニット６０の種類および配置数と２つのサイドカバーユニット５０の種類とが決定される。したがって、Ｒ段階の調整ユニットをそれぞれ個別に準備する場合に比べて、比較的少数の部品種類数（Ｐ＋Ｑ）で当該Ｒ段階の幅（比較的多段階の幅）を実現することが可能である。
【０１１６】
また、その結果、照明装置１は、２つのＬＥＤユニット１０と１つの電源ユニット３０との合計幅ＷＡ２（１７０ｍｍ）に対して、サイズ調整ユニット４０による各種の調整幅ＷＪ（２０ｍｍ〜１３０ｍｍ）を加えた複数の異なる幅を有する装置として構成され得る。すなわち、所定範囲（１９０ｍｍ〜３００ｍｍ）内において所定単位長ΔＷ（１０ｍｍ）刻みで異なる幅を有する複数の照明装置１を容易に構成することが可能である。
【０１１７】
なお、ここでは、３種類のサイドカバーユニット５０Ａ〜５０Ｃと２種類の幅調整ジョイントユニット６０Ｂ，６０Ｄとに関する組合せによって、「２０ｍｍ〜１３０ｍｍ」の１２段階の調整値が実現される態様が例示されている。ただし、３種類のサイドカバーユニット５０Ａ〜５０Ｃと２種類の幅調整ジョイントユニット６０Ｂ，６０Ｄとに関する組合せによれば、さらに多段階の調整値が実現され得る。たとえば、幅３００ｍｍの照明装置１（図１４の最下段参照）において、サイドカバーユニット５０Ｂの代わりにサイドカバーユニット５０Ｃが設けられることによって、「１４０ｍｍ」の調整幅ＷＪが実現される。すなわち、「２０ｍｍ〜１４０ｍｍ」の１３段階の調整値が少なくとも実現され得る。また、幅調整ジョイントユニット６０Ｂ，６０Ｄの配置数を変更することなどによって、さらに多数の段階の調整幅ＷＪを実現することも可能である。
【０１１８】
＜２−２．３つのＬＥＤユニットと２つの電源ユニットとを備える照明装置＞
照明装置１は、互いに組み合わせるべきＬＥＤユニット１０の数（ＬＥＤユニット１０の配置数）と電源ユニット３０の数（電源ユニット３０の配置数）とに応じて、さらに様々な幅を有する装置として構成され得る。たとえば、３つのＬＥＤユニット１０と２つの電源ユニット３０とを組み合わせることにより、比較的大きな幅を有する照明装置１が構成される（図１５参照）。詳細には、３１０ｍｍ〜３８０ｍｍの範囲において所定単位長ΔＷ（１０ｍｍ）刻みの異なる幅を有する各照明装置１が構成される。
【０１１９】
図１５においては、３つのＬＥＤユニット１０と２つの電源ユニット３０とを備える各照明装置１が示されている。なお、図１５においては、図示の都合上、各照明装置１が図１１〜図１４よりも縮小されて示されている。図１６〜図２０についても同様である。
【０１２０】
図１５の各照明装置１においては、中央にＬＥＤユニット１０が配置される。また、当該中央のＬＥＤユニット１０に加えて、左側のＬＥＤユニット１０と右側のＬＥＤユニット１０とがさらに配置される。中央のＬＥＤユニット１０と左側のＬＥＤユニット１０との間には電源ユニット３０が配置され、中央のＬＥＤユニット１０と右側のＬＥＤユニット１０との間にも電源ユニット３０が配置される。
【０１２１】
３つのＬＥＤユニット１０の幅（１５０ｍｍ＝５０ｍｍ×３）と２つの電源ユニット３０の幅（１４０ｍｍ＝７０ｍｍ×２）との合計値ＷＡ３は、２９０ｍｍである。
【０１２２】
図１５の最上段の照明装置１は、３１０ｍｍの幅ＴＷを有する。具体的には、「＋２０ｍｍ」のサイズ調整ユニット４０を設けることによって、３１０ｍｍの幅ＴＷが実現される。たとえば、左側のＬＥＤユニット１０の左側にサイドカバーユニット５０Ａ（幅１０ｍｍ）が配置され、右側のＬＥＤユニット１０の右側にサイドカバーユニット５０Ａ（幅１０ｍｍ）が配置されることによって、「＋２０ｍｍ」のサイズ調整が実現される。このように、３つのＬＥＤユニット１０の幅（１５０ｍｍ＝５０ｍｍ×３）と２つの電源ユニット３０の幅（１４０ｍｍ＝７０ｍｍ×２）との合計値ＷＡ３（２９０ｍｍ）に対して、サイズ調整ユニット４０（ここでは２つのサイドカバーユニット５０Ａ）によって「＋２０ｍｍ」の調整が行われ、３１０ｍｍの幅ＴＷを有する照明装置１が構成される。
【０１２３】
図１５の上から２段目の照明装置１は、３２０ｍｍの幅ＴＷを有する。具体的には、「＋３０ｍｍ」のサイズ調整ユニット４０を設けることによって、３２０ｍｍの幅ＴＷが実現される。たとえば、左側のＬＥＤユニット１０の左側にサイドカバーユニット５０Ｂ（幅１５ｍｍ）が配置され、右側のＬＥＤユニット１０の右側にサイドカバーユニット５０Ｂ（幅１５ｍｍ）が配置されることによって、「＋３０ｍｍ」のサイズ調整が実現される。このように、３つのＬＥＤユニット１０の幅と２つの電源ユニット３０の幅との合計値ＷＡ３（２９０ｍｍ）に対して、サイズ調整ユニット４０（ここでは２つのサイドカバーユニット５０Ｂ）によって「＋３０ｍｍ」の調整が行われ、３２０ｍｍの幅ＴＷを有する照明装置１が構成される。
【０１２４】
同様にして、図１５の上から３段目から８段目に示すように、３３０ｍｍ、３４０ｍｍ、３５０ｍｍ、３６０ｍｍ、３７０ｍｍ、３８０ｍｍの各幅ＴＷを有する各照明装置１が、「＋４０ｍｍ」、「＋５０ｍｍ」、「＋６０ｍｍ」、「＋７０ｍｍ」、「＋８０ｍｍ」、「＋９０ｍｍ」のサイズ調整ユニット４０をそれぞれ用いることによって構成される。
【０１２５】
＜２−３．４つのＬＥＤユニットと２つの電源ユニットとを備える照明装置＞
また、４つのＬＥＤユニット１０と２つの電源ユニット３０とを組み合わせることにより、さらに大きな幅ＴＷを有する照明装置１が構成される（図１６参照）。具体的には、３９０ｍｍ〜４３０ｍｍの範囲において所定単位長ΔＷ（１０ｍｍ）刻みの異なる幅を有する各照明装置１が構成される。
【０１２６】
図１６においては、４つのＬＥＤユニット１０と２つの電源ユニット３０とを備える各照明装置１が示されている。
【０１２７】
図１６の各照明装置１においては、中央に２つのＬＥＤユニット１０が配置される。当該２つのＬＥＤユニット１０（中央左寄りおよび中央右寄りのＬＥＤユニット１０）の相互間には発光部用ジョイントユニット７０が配置される。この発光部用ジョイントユニット７０によって、左右のＬＥＤユニット１０が相互に接続される。ここでは、発光部用ジョイントユニット７０として、１０ｍｍの幅（Ｗ７１）を有する発光部用ジョイントユニット７０Ａが用いられる。
【０１２８】
また、中央の２つのＬＥＤユニット１０に加えて、左端側のＬＥＤユニット１０と右端側のＬＥＤユニット１０とがさらに配置される。中央左寄りのＬＥＤユニット１０と左端側のＬＥＤユニット１０との間には電源ユニット３０が配置され、中央右寄りのＬＥＤユニット１０と右端側のＬＥＤユニット１０との間にも電源ユニット３０が配置される。
【０１２９】
４つのＬＥＤユニット１０の幅（２００ｍｍ＝５０ｍｍ×４）と２つの電源ユニット３０の幅（１４０ｍｍ＝７０ｍｍ×２）との合計値ＷＡ４は、３４０ｍｍである。
【０１３０】
図１６の最上段の照明装置１は、３９０ｍｍの幅ＴＷを有する。具体的には、「＋５０ｍｍ」のサイズ調整ユニット４０を設けることによって、３９０ｍｍの幅ＴＷが実現される。たとえば、発光部用ジョイントユニット７０Ａ（幅１０ｍｍ）が中央に配置されることに加えて、左端側のＬＥＤユニット１０の左側にサイドカバーユニット５０Ｃ（幅２０ｍｍ）が配置され、且つ、右端側のＬＥＤユニット１０の右側にサイドカバーユニット５０Ｃ（幅２０ｍｍ）が配置されることによって、「＋５０ｍｍ」のサイズ調整が実現される。このように、４つのＬＥＤユニット１０の幅と２つの電源ユニット３０の幅との合計値ＷＡ４（３４０ｍｍ）に対して、サイズ調整ユニット４０（ここでは２つのサイドカバーユニット５０Ｃおよび単一の発光部用ジョイントユニット７０Ａ）によって「＋５０ｍｍ」の調整が行われ、３９０ｍｍの幅ＴＷを有する照明装置１が構成される。
【０１３１】
同様にして、４００ｍｍ、４１０ｍｍ、４２０ｍｍ、４３０ｍｍ（図１６最下段参照）の各幅ＴＷを有する各照明装置１が、「＋６０ｍｍ」、「＋７０ｍｍ」、「＋８０ｍｍ」、「＋９０ｍｍ」のサイズ調整ユニット４０をそれぞれ用いることによって構成される。
【０１３２】
＜２−４．５つのＬＥＤユニットと２つの電源ユニットとを備える照明装置＞
また、５つのＬＥＤユニット１０と２つの電源ユニット３０とを組み合わせることにより、さらに大きな幅ＴＷを有する照明装置１が構成される（図１７参照）。具体的には、４４０ｍｍ〜５４０ｍｍの範囲において所定単位長ΔＷ（１０ｍｍ）刻みの複数の異なる幅を有する各照明装置１が構成される。
【０１３３】
図１７においては、５つのＬＥＤユニット１０と２つの電源ユニット３０とを備える各照明装置１が示されている。なお、５つのＬＥＤユニット１０のうち左側の２つのＬＥＤユニット１０に対しては左側の電源ユニット３０から給電され、５つのＬＥＤユニット１０のうち右側の２つのＬＥＤユニット１０に対しては右側の電源ユニット３０から給電される。５つのＬＥＤユニット１０のうち中央のＬＥＤユニット１０に対しては、２つの電源ユニット３０のうちの一方の電源ユニット３０からの配線ケーブルを介して給電される。たとえば、左側の電源ユニット３０と中央のＬＥＤユニット１０とを接続する配線ケーブルが、当該電源ユニット３０の右側に隣接するＬＥＤユニット１０（当該電源ユニット３０と中央のＬＥＤユニット１０との間に設けられるＬＥＤユニット１０）内の空間を通過して設けられればよい。
【０１３４】
図１７の各照明装置１においては、中央に３つのＬＥＤユニット１０が配置される。当該３つのＬＥＤユニット１０の相互間には発光部用ジョイントユニット７０が配置される。この発光部用ジョイントユニット７０によって、左右のＬＥＤユニット１０が相互に接続される。４４０ｍｍ〜４９０ｍｍの幅を有する照明装置１においては、２つの発光部用ジョイントユニット７０として、１０ｍｍの幅を有する発光部用ジョイントユニット７０Ａが２つ用いられる。また、５００ｍｍ〜５４０ｍｍの幅を有する照明装置１においては、発光部用ジョイントユニット７０として、２５ｍｍの幅を有する発光部用ジョイントユニット７０Ｄが２つ用いられる。
【０１３５】
また、中央の３つのＬＥＤユニット１０に加えて、左端側のＬＥＤユニット１０と右端側のＬＥＤユニット１０とがさらに配置される。中央左側のＬＥＤユニット１０と左端側のＬＥＤユニット１０との間には電源ユニット３０が配置され、中央右側のＬＥＤユニット１０と右端側のＬＥＤユニット１０との間にも電源ユニット３０が配置される。
【０１３６】
５つのＬＥＤユニット１０の幅（２５０ｍｍ＝５０ｍｍ×５）と２つの電源ユニット３０の幅（１４０ｍｍ＝７０ｍｍ×２）との合計値ＷＡ５は、３９０ｍｍである。
【０１３７】
図１７の最上段の照明装置１は、４４０ｍｍの幅ＴＷを有する。「＋５０ｍｍ」のサイズ調整ユニット４０を設けることによって、４４０ｍｍの幅ＴＷが実現される。たとえば、２つの発光部用ジョイントユニット７０Ａ（合計の幅２０ｍｍ＝幅１０ｍｍ×２）が中央付近に配置されることに加えて、左端側のＬＥＤユニット１０の左側にサイドカバーユニット５０Ｂ（幅１５ｍｍ）が配置され、右端側のＬＥＤユニット１０の右側にサイドカバーユニット５０Ｂ（幅１５ｍｍ）が配置されることによって、「＋５０ｍｍ」のサイズ調整が実現される。このように、５つのＬＥＤユニット１０の幅と２つの電源ユニット３０の幅との合計値ＷＡ５（３９０ｍｍ）に対して、サイズ調整ユニット４０（ここでは２つのサイドカバーユニット５０Ｂおよび発光部用ジョイントユニット７０Ａ）によって「＋５０ｍｍ」の調整が行われ、４４０ｍｍの幅ＴＷを有する照明装置１が構成される。
【０１３８】
同様にして、４５０ｍｍ、４６０ｍｍ、４７０ｍｍ、４８０ｍｍ、４９０ｍｍの各幅ＴＷを有する各照明装置１が、「＋６０ｍｍ」、「＋７０ｍｍ」、「＋８０ｍｍ」、「＋９０ｍｍ」、「＋１００ｍｍ」のサイズ調整ユニット４０をそれぞれ用いることによって構成される。
【０１３９】
また、図１７の中段付近にも示すように、５００ｍｍの幅ＴＷを有する照明装置１が、「＋１１０ｍｍ」のサイズ調整ユニット４０を設けることによって実現される。
【０１４０】
たとえば、２つの発光部用ジョイントユニット７０Ｄ（合計の幅５０ｍｍ＝幅２５ｍｍ×２）が中央付近に配置される。さらに、左端側のＬＥＤユニット１０の左側に幅調整ジョイントユニット６０Ｂ（幅１５ｍｍ）とサイドカバーユニット５０Ｂ（幅１５ｍｍ）とが配置され、右端側のＬＥＤユニット１０の右側に幅調整ジョイントユニット６０Ｂ（幅１５ｍｍ）とサイドカバーユニット５０Ｂ（幅１５ｍｍ）とが配置される。これによって、「＋１１０ｍｍ」のサイズ調整が実現される。
【０１４１】
このように、５つのＬＥＤユニット１０の幅と２つの電源ユニット３０の幅との合計値ＷＡ５（３９０ｍｍ）に対して、サイズ調整ユニット４０（ここでは２つのサイドカバーユニット５０Ｂと２つの幅調整ジョイントユニット６０Ｂと２つの発光部用ジョイントユニット７０Ｄ）によって「＋１１０ｍｍ」の調整が行われ、５００ｍｍの幅ＴＷを有する照明装置１が構成される。
【０１４２】
同様にして、５１０ｍｍ、５２０ｍｍ、５３０ｍｍの各幅ＴＷを有する各照明装置１が、「＋１２０ｍｍ」、「＋１３０ｍｍ」、「＋１４０ｍｍ」のサイズ調整ユニット４０をそれぞれ用いることによって構成される。
【０１４３】
また、図１７の最下段に示すように、５４０ｍｍの幅ＴＷを有する照明装置１が、「＋１５０ｍｍ」のサイズ調整ユニット４０を設けることによって実現される。たとえば、２つの発光部用ジョイントユニット７０Ｄ（合計の幅５０ｍｍ＝幅２５ｍｍ×２）が中央付近に配置されることに加えて、１つのサイドカバーユニット５０Ｃ（幅２０ｍｍ）と２つの幅調整ジョイントユニット６０Ｂ（幅１５ｍｍ）とが、左右両側にそれぞれ配置されることによって、「＋１５０ｍｍ」のサイズ調整が実現される。詳細には、左側と右側とのそれぞれにおいて、一の幅調整ジョイントユニット６０Ｂが電源ユニット３０とＬＥＤユニット１０との間に配置され、他の幅調整ジョイントユニット６０Ｂがサイドカバーユニット５０ＣとＬＥＤユニット１０との間に配置される。
【０１４４】
このように、５つのＬＥＤユニット１０の幅と２つの電源ユニット３０の幅との合計値ＷＡ５（３９０ｍｍ）に対して、サイズ調整ユニット４０（ここでは２つのサイドカバーユニット５０Ｃと４つの幅調整ジョイントユニット６０Ｂと２つの発光部用ジョイントユニット７０Ｄ）によって「＋１５０ｍｍ」の調整が行われ、５４０ｍｍの幅ＴＷを有する照明装置１が構成される。
【０１４５】
＜２−５．６つのＬＥＤユニットと３つの電源ユニットとを備える照明装置＞
さらに、６つのＬＥＤユニット１０と３つの電源ユニット３０とを組み合わせることにより、更に大きな幅ＴＷを有する照明装置１が構成される（図１８参照）。具体的には、５５０ｍｍ〜６５０ｍｍの範囲において所定単位長ΔＷ（１０ｍｍ）刻みの異なる幅を有する各照明装置１が構成される。なお、図１８においては、図示の都合上、照明装置１の左半分（Ｘ方向の中心線ＣＬよりも左側）を中心に示している。照明装置１の右半分は、中心線ＣＬに対して左半分と線対称である。図１９および図２０も同様である。
【０１４６】
図１８の各照明装置１においては、３つの電源ユニット３０、具体的には、中央の電源ユニット３０と左側の電源ユニット３０と右側の電源ユニット３０とが設けられる。中央の電源ユニット３０の両側にはＬＥＤユニット１０が配置される。また、左側の電源ユニット３０の両側にはＬＥＤユニット１０が配置され、右側の電源ユニット３０の両側にもＬＥＤユニット１０が配置される。なお、中央の電源ユニット３０と左側の電源ユニット３０との間には２つのＬＥＤユニット１０が配置され、中央の電源ユニット３０と右側の電源ユニット３０との間にも２つのＬＥＤユニット１０が配置される。
【０１４７】
また、中央の電源ユニット３０と左側の電源ユニット３０と間に配置された２つのＬＥＤユニット１０の相互間には、発光部用ジョイントユニット７０が配置される。中央の電源ユニット３０と右側の電源ユニット３０と間に配置された２つのＬＥＤユニット１０の相互間にも、発光部用ジョイントユニット７０が配置される。各発光部用ジョイントユニット７０によって、左右に隣接するＬＥＤユニット１０が相互に接続される。
【０１４８】
５５０ｍｍの幅を有する照明装置１においては、各発光部用ジョイントユニット７０として、１０ｍｍの幅を有する発光部用ジョイントユニット７０Ａが用いられる。
【０１４９】
５６０ｍｍ〜６３０ｍｍの幅を有する照明装置１においては、各発光部用ジョイントユニット７０として、１５ｍｍの幅を有する発光部用ジョイントユニット７０Ｂが用いられる。
【０１５０】
６４０ｍｍの幅を有する照明装置１においては、各発光部用ジョイントユニット７０として、２０ｍｍの幅を有する発光部用ジョイントユニット７０Ｃが用いられる。
【０１５１】
６５０ｍｍの幅を有する照明装置１においては、各発光部用ジョイントユニット７０として、２５ｍｍの幅を有する発光部用ジョイントユニット７０Ｄが用いられる。
【０１５２】
ここにおいて、６つのＬＥＤユニット１０の幅（３００ｍｍ＝５０ｍｍ×６）と３つの電源ユニット３０の幅（２１０ｍｍ＝７０ｍｍ×３）との合計値ＷＡ６は、５１０ｍｍである。
【０１５３】
５５０ｍｍの幅を有する照明装置１（図１８の最上段参照）は、「＋４０ｍｍ」のサイズ調整ユニット４０を設けることによって構成される。たとえば、２つの発光部用ジョイントユニット７０Ａ（合計の幅２０ｍｍ＝幅１０ｍｍ×２）が配置されることに加えて、左端側のＬＥＤユニット１０の左側にサイドカバーユニット５０Ａ（幅１０ｍｍ）が配置され、右端側のＬＥＤユニット１０の右側にサイドカバーユニット５０Ａ（幅１０ｍｍ）が配置されることによって、「＋４０ｍｍ」のサイズ調整が実現される。このように、６つのＬＥＤユニット１０の幅と３つの電源ユニット３０の幅との合計値ＷＡ６（５１０ｍｍ）に対して、サイズ調整ユニット４０（ここでは２つのサイドカバーユニット５０Ａと２つの発光部用ジョイントユニット７０Ａ）によって「＋４０ｍｍ」の調整が行われ、５５０ｍｍの幅ＴＷを有する照明装置１が構成される。
【０１５４】
同様にして、５６０ｍｍ、５７０ｍｍ、５８０ｍｍ、５９０ｍｍ、６００ｍｍ、６１０ｍｍ、６２０ｍｍ、６３０ｍｍ、６４０ｍｍ、６５０ｍｍ、の各幅ＴＷを有する各照明装置１が、「＋５０ｍｍ」、「＋６０ｍｍ」、「＋７０ｍｍ」、「＋８０ｍｍ」、「＋９０ｍｍ」、「＋１００ｍｍ」、「＋１１０ｍｍ」、「＋１２０ｍｍ」、「＋１３０ｍｍ」、「＋１４０ｍｍ」のサイズ調整ユニット４０をそれぞれ用いることによって構成される。
【０１５５】
＜２−６．７つのＬＥＤユニットと２つの電源ユニットとを備える照明装置＞
また、７つのＬＥＤユニット１０と２つの電源ユニット３０とを組み合わせることにより、更に大きな幅ＴＷを有する照明装置１が構成される（図１９参照）。具体的には、６６０ｍｍ〜６８０ｍｍの範囲において所定単位長ΔＷ（１０ｍｍ）刻みの異なる幅を有する各照明装置１が構成される。
【０１５６】
図１９の各照明装置１においては、中央に３つのＬＥＤユニット１０が配置される。当該３つのＬＥＤユニット１０の相互間には（合計２つの）発光部用ジョイントユニット７０が配置される。
【０１５７】
中央の３つのＬＥＤユニット１０のうちの最も左側のＬＥＤユニット１０の更に左側には、電源ユニット３０が配置される。当該電源ユニット３０の更に左側には２つのＬＥＤユニット１０が配置される。当該２つのＬＥＤユニット１０の相互間にも発光部用ジョイントユニット７０が配置される。
【０１５８】
同様に、中央の３つのＬＥＤユニット１０のうちの最も右側のＬＥＤユニット１０の更に右側にも、電源ユニット３０が配置される。当該電源ユニット３０の更に右側には２つのＬＥＤユニット１０が配置される。当該２つのＬＥＤユニット１０の相互間にも発光部用ジョイントユニット７０が配置される。
【０１５９】
６６０ｍｍ〜６８０ｍｍの幅を有する照明装置１においては、４つの発光部用ジョイントユニット７０が設けられる。各発光部用ジョイントユニット７０としては、２５ｍｍの幅を有する発光部用ジョイントユニット７０Ｄが用いられる。
【０１６０】
ここにおいて、７つのＬＥＤユニット１０の幅（３５０ｍｍ＝５０ｍｍ×７）と２つの電源ユニット３０の幅（１４０ｍｍ＝７０ｍｍ×２）との合計値ＷＡ７は、４９０ｍｍである。
【０１６１】
６６０ｍｍの幅を有する照明装置１（図１８の最上段参照）は、「＋１７０ｍｍ」のサイズ調整ユニット４０を設けることによって構成される。たとえば、４つの発光部用ジョイントユニット７０Ｄ（合計の幅１００ｍｍ＝幅２５ｍｍ×４）が配置されることに加えて、左端側のＬＥＤユニット１０の左側に幅調整ジョイントユニット６０Ｂ（幅１５ｍｍ）とサイドカバーユニット５０Ｃ（幅２０ｍｍ）とが配置され、右端側のＬＥＤユニット１０の右側に幅調整ジョイントユニット６０Ｂ（幅１５ｍｍ）とサイドカバーユニット５０Ｃ（幅２０ｍｍ）とが配置されることによって、「＋１７０ｍｍ」のサイズ調整が実現される。このように、７つのＬＥＤユニット１０の幅と２つの電源ユニット３０の幅との合計値ＷＡ７（４９０ｍｍ）に対して、サイズ調整ユニット４０（ここでは２つのサイドカバーユニット５０Ｃと２つの幅調整ジョイントユニット６０Ｂと４つの発光部用ジョイントユニット７０Ｄ）とによって「＋１７０ｍｍ」の調整が行われ、６６０ｍｍの幅ＴＷを有する照明装置１が構成される。
【０１６２】
同様にして、６７０ｍｍ、６８０ｍｍの各幅ＴＷを有する各照明装置１が、「＋１８０ｍｍ」、「＋１９０ｍｍ」のサイズ調整ユニット４０をそれぞれ用いることによって構成される。
【０１６３】
なお、４つの発光部用ジョイントユニット７０Ｄ（合計幅１００ｍｍ）が用いられる場合には、サイドカバーユニット５０と幅調整ジョイントユニット６０とを用いて「＋８０ｍｍ」、「＋９０ｍｍ」の更なるサイズ調整が行われることによって、サイズ調整ユニット４０による「＋１８０ｍｍ」、「＋１９０ｍｍ」のサイズ調整が行われる。
【０１６４】
＜２−７．８つのＬＥＤユニットと３つの電源ユニットとを備える照明装置＞
さらに、８つのＬＥＤユニット１０と３つの電源ユニット３０とを組み合わせることにより、更に大きな幅ＴＷを有する照明装置１が構成される（図２０参照）。具体的には、６９０ｍｍ〜８００ｍｍの範囲において所定単位長ΔＷ（１０ｍｍ）刻みの異なる幅を有する各照明装置１が構成される。
【０１６５】
図２０の各照明装置１においては、３つの電源ユニット３０、具体的には、中央の電源ユニット３０と左側の電源ユニット３０と右側の電源ユニット３０とが設けられる。中央の電源ユニット３０と左側の電源ユニット３０との間には２つのＬＥＤユニット１０が配置され、中央の電源ユニット３０と右側の電源ユニット３０との間にも２つのＬＥＤユニット１０が配置される。さらに、左側の電源ユニット３０の左側に配置されたＬＥＤユニット１０の更に左側にも（換言すれば、左端側に）ＬＥＤユニット１０が配置され、右側の電源ユニット３０の右側に配置されたＬＥＤユニット１０の更に右側にも（換言すれば、右端側に）ＬＥＤユニット１０が配置される。
【０１６６】
また、中央の電源ユニット３０と左側の電源ユニット３０との間に配置された２つのＬＥＤユニット１０の相互間には、発光部用ジョイントユニット７０が配置される。中央の電源ユニット３０と右側の電源ユニット３０との間に配置された２つのＬＥＤユニット１０の相互間にも、発光部用ジョイントユニット７０が配置される。これらの２つの発光部用ジョイントユニット７０のそれぞれによって、左右に隣接するＬＥＤユニット１０が相互に接続される。
【０１６７】
また、左側の電源ユニット３０の左側に配置されたＬＥＤユニット１０と左端側のＬＥＤユニット１０との間にも、発光部用ジョイントユニット７０が配置され、右側の電源ユニット３０の右側に配置されたＬＥＤユニット１０と右端側のＬＥＤユニット１０との間にも、発光部用ジョイントユニット７０が配置される。
【０１６８】
これらの４つの発光部用ジョイントユニット７０のそれぞれによって、左右に隣接するＬＥＤユニット１０が相互に接続される。
【０１６９】
６９０ｍｍ〜７４０ｍｍの幅を有する照明装置１においては、各発光部用ジョイントユニット７０として、１０ｍｍの幅を有する発光部用ジョイントユニット７０Ａが用いられる。
【０１７０】
７５０ｍｍ〜８００ｍｍの幅を有する照明装置１においては、各発光部用ジョイントユニット７０として、２５ｍｍの幅を有する発光部用ジョイントユニット７０Ｄが用いられる。
【０１７１】
ここにおいて、８つのＬＥＤユニット１０の幅（４００ｍｍ＝５０ｍｍ×８）と３つの電源ユニット３０の幅（２１０ｍｍ＝７０ｍｍ×３）との合計値ＷＡ８は、６１０ｍｍである。
【０１７２】
６９０ｍｍの幅を有する照明装置１（図２０の最上段参照）は、「＋８０ｍｍ」のサイズ調整ユニット４０を設けることによって構成される。たとえば、４つの発光部用ジョイントユニット７０Ａ（合計の幅４０ｍｍ＝幅１０ｍｍ×４）が配置されることに加えて、左端側のＬＥＤユニット１０の左側にサイドカバーユニット５０Ｃ（幅２０ｍｍ）が配置され、右端側のＬＥＤユニット１０の右側にサイドカバーユニット５０Ｃ（幅２０ｍｍ）が配置されることによって、「＋８０ｍｍ」のサイズ調整が実現される。このように、８つのＬＥＤユニット１０の幅と３つの電源ユニット３０の幅との合計値ＷＡ８（６１０ｍｍ）に対して、サイズ調整ユニット４０（ここでは２つのサイドカバーユニット５０Ｃと４つの発光部用ジョイントユニット７０Ａ）によって「＋８０ｍｍ」の調整が行われ、６９０ｍｍの幅ＴＷを有する照明装置１が構成される。
【０１７３】
同様にして、７００ｍｍ、７１０ｍｍ、７２０ｍｍ、７３０ｍｍ、７４０ｍｍの各幅ＴＷを有する各照明装置１が、「＋９０ｍｍ」、「＋１００ｍｍ」、「＋１１０ｍｍ」、「＋１２０ｍｍ」、「＋１３０ｍｍ」のサイズ調整ユニット４０をそれぞれ用いることによって構成される。なお、４つの発光部用ジョイントユニット７０Ａ（合計幅４０ｍｍ）が用いられる場合には、サイズ調整ユニット４０全体による調整量から発光部用ジョイントユニット７０Ａによる調整量を差し引いた値が、サイドカバーユニット５０および幅調整ジョイントユニット６０によって調整されればよい。たとえば、７４０ｍｍの幅ＴＷを有する照明装置１は、「＋１３０ｍｍ」（サイズ調整ユニット４０全体による調整量）から「４０ｍｍ」（発光部用ジョイントユニット７０Ａによる調整量）を差し引いた「＋９０ｍｍ」が、サイドカバーユニット５０および幅調整ジョイントユニット６０によって調整されればよい。
【０１７４】
さらに同様にして、７５０ｍｍ、７６０ｍｍ、７７０ｍｍ、７８０ｍｍ、７９０ｍｍ、８００ｍｍの各幅ＴＷを有する各照明装置１が、「＋１４０ｍｍ」、「＋１５０ｍｍ」、「＋１６０ｍｍ」、「＋１７０ｍｍ」、「＋１８０ｍｍ」、「＋１９０ｍｍ」のサイズ調整ユニット４０をそれぞれ用いることによって構成される。なお、４つの発光部用ジョイントユニット７０Ｄ（合計幅１００ｍｍ）が用いられる場合には、サイドカバーユニット５０と幅調整ジョイントユニット６０とを用いて「＋４０ｍｍ」、「＋５０ｍｍ」、「＋６０ｍｍ」、「＋７０ｍｍ」、「＋８０ｍｍ」、「＋９０ｍｍ」の更なるサイズ調整が行われることによって、サイズ調整ユニット４０による「＋１４０ｍｍ」、「＋１５０ｍｍ」、「＋１６０ｍｍ」、「＋１７０ｍｍ」、「＋１８０ｍｍ」、「＋１９０ｍｍ」のサイズ調整がそれぞれ行われればよい。
【０１７５】
以上のような各照明装置１は、次のようにして構築される。
【０１７６】
具体的には、まず、照明装置の指定幅ＷＤに応じて、ＬＥＤユニット１０のＸ方向における長さ（幅）およびＸ方向（幅方向）における配置数と、電源ユニット３０のＸ方向における長さ（幅）およびＸ方向（幅方向）における配置数とが決定される。そして、ＬＥＤユニット１０の合計幅と電源ユニット３０の合計幅との両者が算出され、当該両者の合計値ＷＡと照明装置の指定幅（ＷＤ）とに基づき、サイズ調整ユニット４０により調整されるべき幅である調整幅ＷＪ（＝ＷＤ−ＷＡ）が決定される。
【０１７７】
つぎに、互いに異なる幅を有する複数の種類のサイズ調整ユニット４０（５０Ａ〜５０Ｃ，６０Ｂ，６０Ｄ，７０Ａ〜７０Ｄ）の中から、当該調整幅ＷＪを実現するための少なくとも１つのサイズ調整ユニット４０（たとえば、サイドカバーユニット５０Ａのみ）が決定される。
【０１７８】
そして、決定された少なくとも１つのサイズ調整ユニット４０と少なくとも１つのＬＥＤユニット１０と少なくとも１つの電源ユニット３０とを含む複数のユニットが、幅方向において組み合わせて配置される。
【０１７９】
このような方法によって、指定幅ＷＤに対応する各照明装置１が製造される。
【０１８０】
＜２−８．１つのＬＥＤユニットと１つの電源ユニットとを備える照明装置＞
また、単一のＬＥＤユニット１０と１つの電源ユニット３０とを組み合わせることにより、比較的小さな幅ＴＷを有する照明装置１も構成され得る（図１０参照）。具体的には、１４０ｍｍの幅を有する照明装置１（１Ｚ）が構成される。
【０１８１】
ＬＥＤユニット１０の左側にはサイドカバーユニット５０Ａが設けられ、電源ユニット３０の右側にはサイドカバーユニット５０Ｅ（図７（ｄ）参照）が設けられる。サイドカバーユニット５０Ｅは、サイドカバーユニット５０Ａとは異なる形状を有しているが、サイドカバーユニット５０Ａと同じ幅（有効幅）Ｗ５１（１０ｍｍ）を有している。
【０１８２】
＜２−９．実施形態の効果等＞
上記実施形態においては、図１１〜図１４を参照しつつ説明したように、互いに異なる幅を有する１２種類の照明装置１Ａ〜１Ｌが、共通の２種類の部品（１０，３０）とサイズ調整用の５種類の部品（５０Ａ，５０Ｂ，５０Ｃ，６０Ｂ，６０Ｄ）とに関する異なる組合せとによって実現される。より詳細には、互いに異なる１２種類の調整幅ＷＪ（２０ｍｍ〜１３０ｍｍの範囲における１０ｍｍ刻みの各調整幅）が、合計５種類の部品（５０Ａ，５０Ｂ，５０Ｃ，６０Ｂ，６０Ｄ）の異なる組合せによって実現される。仮に、照明装置が特注される場合には、通常、各調整幅ＷＪに応じた部品がそれぞれ設計され、たとえば、異なる幅を有する１２種類の照明装置を実現するために、１２種類の専用部品が個別に設けられる。これに対して、上記実施形態においては比較的少数（５種類）の部品の組合せによって実現されるので、部品種類数を低減することが可能である。
【０１８３】
また、上記実施形態においては、図１５〜図２０をも参照しつつ説明したように、ＬＥＤユニット１０の配置数と電源ユニット３０の配置数とを変更することに応じて、さらに様々な幅を有する照明装置１が構成され得る。たとえば、比較的多数（たとえば８個）のＬＥＤユニット１０と比較的多数の電源ユニット３０（たとえば３個）とを組み合わせることにより、比較的大きな幅（たとえば、６９０ｍｍ，７００ｍｍ，７１０ｍｍ，...，８００ｍｍ）を有する照明装置１が構成される（図２０参照）。
【０１８４】
特に、ＬＥＤユニット１０および電源ユニット３０は、それぞれ、所定単位長ΔＷの倍数の幅を有しているので、任意数のＬＥＤユニット１０と任意数の電源ユニット３０との合計の幅も所定単位長ΔＷの倍数である。また、上述のように、サイズ調整ユニット４０の合計幅も、所定単位長ΔＷの整数倍である。その結果、照明装置１における各種ユニットの合計の幅ＴＷも、所定単位長ΔＷの整数倍である。すなわち、所定単位幅ΔＷ刻みの異なる幅ＴＷを有する照明装置１が良好に実現され得る。
【０１８５】
このように照明装置１は、ＬＥＤユニット１０と電源ユニット３０とに関する複数の組合せのいずれかと、複数のサイズ調整ユニット４０（サイドカバーユニット５０、幅調整ジョイントユニット６０および発光部用ジョイントユニット７０）のうち利用対象ユニットに係る組合せとによって構成される。これによって、非常に広い範囲（ここでは１９０ｍｍ〜８００ｍｍ）に亘って所定単位長ΔＷ（１０ｍｍ）刻みの複数の異なる幅ＴＷを有する複数の照明装置１のいずれかとして構成され得る。
【０１８６】
また、各照明装置１においては、それぞれの調整幅ＷＪを実現するサイズ調整ユニット４０が複数の種類のサイズ調整ユニット４０（５０Ａ〜５０Ｃ，６０Ｂ，６０Ｄ，７０Ａ〜７０Ｄ等）の中から選択される。ここにおいて、各調整幅ＷＪは、各照明装置１に配置されたＬＥＤユニット１０の幅と電源ユニット３０の幅との合計の幅を、指定幅ＷＤから差し引いた値である。
【０１８７】
たとえば、図１７に示すように、４４０ｍｍ〜４９０ｍｍの各幅を有する照明装置１における当該調整幅ＷＪは、照明装置１に配置された５つのＬＥＤユニット１０の幅（ここでは、２５０ｍｍ＝５０ｍｍ×４）と２つの電源ユニット３０の幅（ここでは１４０ｍｍ＝７０ｍｍ×２）との合計幅ＷＡ５（３９０ｍｍ）を指定幅ＷＤ（４４０ｍｍ〜４９０ｍｍ）から差し引いた値（５０ｍｍ〜１００ｍｍ）である。
【０１８８】
そして、各調整幅ＷＪ（５０ｍｍ〜１００ｍｍ）が複数のサイズ調整ユニット４０の合計幅に等しくなるように、複数のサイズ調整ユニット４０が複数の種類のサイズ調整ユニット４０（５０Ａ〜５０Ｃ，６０Ｂ，６０Ｄ，７０Ａ〜７０Ｄ）の中から選択される。たとえば、幅４９０ｍｍの照明装置１においては、２つの発光部用ジョイントユニット７０Ａと２つのサイドカバーユニット５０Ｂと２つの幅調整ジョイントユニット６０Ｄとを用いて、調整幅「１００ｍｍ」が実現される。
【０１８９】
このとき、調整幅ＷＪが、Ｐ種類（ここではＰ＝３）のサイドカバーユニット５０とＱ種類（ここではＱ＝２）の幅調整ジョイントユニット６０とに関する組合せと所定数（ここでは２個）の発光部用ジョイントユニット７０とによって実現されるＲ段階（ここでは、Ｒ＝６、且つ、Ｒ＞Ｐ＋Ｑ）の幅の値のいずれかに等しくなるように、２つのサイドカバーユニット５０Ｂと２個の幅調整ジョイントユニット６０Ｄとが選択される。したがって、６段階の調整ユニットをそれぞれ個別に準備する場合に比べて、比較的少数の部品種類数（Ｐ＋Ｑ＝５）で当該６段階の幅（比較的多段階の幅）を実現することが可能である。
【０１９０】
なお、図１７では、５つのＬＥＤユニット１０と２つの電源ユニット３０とを有する照明装置１に関して、基本幅ＷＡ５「３９０ｍｍ」に対して５０ｍｍ〜１００ｍｍの範囲の１０ｍｍ刻みの６段階の各調整幅ＷＪを加えた６段階の幅を有する複数の照明装置１が例示されているが、これに限定されない。たとえば、基本幅ＷＡ５（３９０ｍｍ）と２つの発光部用ジョイントユニット７０Ａとの幅の合計幅（４１０ｍｍ）に対して、３種類のサイドカバーユニット５０と２種類の幅調整ジョイントユニット６０とに関する組合せによって実現される「２０ｍｍ〜１４０ｍｍ」の１３段階の幅のいずれかを加えて、１３段階の幅を有する複数の照明装置１のいずれかが構築されるようにしてもよい。
【０１９１】
また、上記実施形態においては、複数の照明装置（照明装置１Ｚを除く）は、左右対称のユニット構成を有しており、左右両側において同じ種類および同じ個数のサイドカバーユニット５０が用いられているので、左側と右側とで異なる種類のサイドカバーユニット５０をそれぞれ用いる場合に比べて、部品種類数をさらに低減（半減）することができる。また、左右両側において同じ種類および同じ個数の幅調整ジョイントユニット６０が用いられることによって、同様の効果を得ることができる。発光部用ジョイントユニット７０に関しても同様である。
【０１９２】
また、上記実施形態においては、ＬＥＤユニット１０と電源ユニット３０とが分離して設けられている。したがって、電力供給部３７の熱がＬＥＤ光源に与える影響が低減され得る。また、両ユニット１０，３０の分離により、照明装置１のメンテナンスの容易化を図ることもできる。
【０１９３】
また、上記実施形態においては、ＬＥＤユニット１０と電源ユニット３０とが分離して設けられるとともに、当該ＬＥＤユニット１０と電源ユニット３０とが組み合わせられて照明装置１に設けられる。したがって、ＬＥＤユニット１０と電源ユニット３０との一体的構成物が照明装置１の幅に応じて個々に設計されて構築される場合に比べて、異なる幅の照明装置１を柔軟且つ容易に構築することが可能である。
【０１９４】
＜３．変形例等＞
以上、この発明の実施の形態について説明したが、この発明は上記説明した内容のものに限定されるものではない。
【０１９５】
たとえば、上記実施形態においては、照明装置１の最大幅は８００ｍｍであるが、さらに大きな幅を有する照明装置が実現されるようにしてもよい。
【０１９６】
また、上記実施形態においては、値ΔＷ刻みの異なる幅を有する複数の照明装置１が構築されるに際して、その値ΔＷが１０ｍｍである態様が例示されているが、これに限定されない。たとえば、値ΔＷは任意の他の値であってもよい。
【０１９７】
また、上記実施形態においては、各ユニット同士の接合は主に上面において行われている。たとえば、ＬＥＤユニット１０の上面において電源ユニット３０との接合が行われている。より詳細には、ベース部材１１の上面の接合面（凹部）１１ａと上側ベース部材３１の突出部（凸部）３１ａとにおいて、電源ユニット３０とＬＥＤユニット１０とが接合されている。しかしながら、本発明はこれに限定されず、各ユニット同士の接合は各ユニットの側面のみを用いて行われるようにしてもよい。たとえば、（ＬＥＤユニット１０の上面を用いず）ＬＥＤユニット１０の側面を用いて電源ユニット３０との接続が行われるようにしてもよい。
【０１９８】
また、上記実施形態においては、Ｐ＝３、Ｑ＝２の場合が例示されているが、これに限定されない。たとえば、複数の種類のサイズ調整ユニット４０としては、所定単位幅ΔＷの半値の倍数（自然数）の幅を有するＰ種類（ただし、値Ｐは自然数）のサイドカバーユニット５０と、所定単位幅ΔＷの半値の倍数（自然数）の幅を有するＱ種類（ただし、値Ｑは自然数）の幅調整ジョイントユニット６０とが準備されればよい。値Ｐ、値Ｑは、それぞれ１であってもよい。Ｑ＝１の場合には、同一種類（所定幅（たとえば５mm幅））の幅調整ジョイントユニット６０が複数個連結されて用いられることによって、複数の異なる幅が実現されればよい。ただし、値Ｐと値Ｑとの少なくとも一方は、２以上であることが好ましい。
【０１９９】
また、上記実施形態においては、光源としてＬＥＤ（発光ダイオード）を用いる照明装置を例示しているが、これに限定されない。たとえば、その他の光源（蛍光灯あるいは有機ＥＬ等）を用いる照明装置等に対して上記の思想を適用することも可能である。
【符号の説明】
【０２００】
１  照明装置
２  エンドカバー
１０  ＬＥＤユニット（発光ユニット）
３０  電源ユニット
４０  サイズ調整ユニット
５０，５０Ａ〜５０Ｃ，５０Ｅ  サイドカバーユニット
６０，６０Ｂ，６０Ｄ  幅調整ジョイントユニット
７０，７０Ａ〜７０Ｄ  発光部用ジョイントユニット
【図１】
2018120877.tif 000003
【図２】
2018120877.tif 000004
【図３】
2018120877.tif 000005
【図４】
2018120877.tif 000006
【図５】
2018120877.tif 000007
【図６】
2018120877.tif 000008
【図７】
2018120877.tif 000009
【図８】
2018120877.tif 000010
【図９】
2018120877.tif 000011
【図１０】
2018120877.tif 000012
【図１１】
2018120877.tif 000013
【図１２】
2018120877.tif 000014
【図１３】
2018120877.tif 000015
【図１４】
2018120877.tif 000016
【図１５】
2018120877.tif 000017
【図１６】
2018120877.tif 000018
【図１７】
2018120877.tif 000019
【図１８】
2018120877.tif 000020
【図１９】
2018120877.tif 000021
【図２０】
2018120877.tif 000022
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
複数の照明装置を備える照明装置群であって、
前記複数の照明装置は、それぞれ、
所定方向に伸延する少なくとも１つの発光ユニットと、
少なくとも１つの電源ユニットと、
少なくとも１つのサイズ調整ユニットと、
を備え、
前記複数の照明装置においては、それぞれ、前記所定方向に対して垂直な方向である幅方向に、前記少なくとも１つの発光ユニットと前記少なくとも１つの電源ユニットと前記少なくとも１つのサイズ調整ユニットとを含む複数のユニットの組合せが配置され、
各照明装置における前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、
前記複数の照明装置は、互いに異なる幅を有し、前記複数のユニットに関する異なる複数の組合せによって構築され、
互いに異なる複数の種類のサイズ調整ユニットのうち各照明装置の構築に用いられるサイズ調整ユニットの組合せを変更することによって、前記複数の照明装置に関する互いに異なる複数の調整幅がそれぞれ実現され、
前記少なくとも１つのサイズ調整ユニットは、前記複数の種類のサイズ調整ユニットに関する組合せのうち、前記調整幅を実現する２種類以上のサイズ調整ユニットの組合せに係るサイズ調整ユニットであることを特徴とする照明装置群。
【請求項２】
照明装置であって、
所定方向に伸延する少なくとも１つの発光ユニットと、
少なくとも１つの電源ユニットと、
少なくとも１つのサイズ調整ユニットと、
を備え、
前記所定方向に対して垂直な方向である幅方向において、前記少なくとも１つの発光ユニットと前記少なくとも１つの電源ユニットと前記少なくとも１つのサイズ調整ユニットとを含む複数のユニットの組合せが配置され、
前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、
前記照明装置は、前記複数のユニットに関する異なる複数の組合せによって構築される互いに異なる複数の幅を有する複数の照明装置のうちの１つの照明装置であり、
互いに異なる複数の種類のサイズ調整ユニットのうち各照明装置の構築に用いられるサイズ調整ユニットの組合せを変更することによって、前記複数の照明装置に関する互いに異なる複数の調整幅がそれぞれ実現され、
前記少なくとも１つのサイズ調整ユニットは、前記複数の種類のサイズ調整ユニットに関する組合せのうち、前記調整幅を実現する２種類以上のサイズ調整ユニットの組合せに係るサイズ調整ユニットであることを特徴とする照明装置。
【請求項３】
照明装置の製造方法であって、
ａ）前記照明装置において所定方向に伸延して配置される発光ユニットの前記所定方向に垂直な方向である幅方向における配置数と前記照明装置に配置される電源ユニットの前記幅方向における配置数と前記照明装置の指定幅とに基づき、少なくとも１つのサイズ調整ユニットにより調整されるべき調整幅を決定するステップと、
ｂ）互いに異なる複数の種類のサイズ調整ユニットの中から、前記調整幅を実現する前記少なくとも１つのサイズ調整ユニットを決定するステップと、
ｃ）前記ステップｂ）にて決定された前記少なくとも１つのサイズ調整ユニットと、前記発光ユニットと、前記電源ユニットとを含む複数のユニットを、前記幅方向において組み合わせて配置するステップと、
を備え、
前記照明装置は、前記複数のユニットに関する異なる複数の組合せによって構築される互いに異なる複数の幅を有する複数の照明装置のうちの１つの照明装置であり、
前記複数の種類のサイズ調整ユニットのうち各照明装置の構築に用いられるサイズ調整ユニットの組合せを変更することによって、前記複数の照明装置に関する互いに異なる複数の調整幅がそれぞれ実現され、
前記ステップｂ）において、前記複数の種類のサイズ調整ユニットに関する組合せの中から、前記調整幅を実現する２種類以上のサイズ調整ユニットの組合せに係るサイズ調整ユニットが前記少なくとも１つのサイズ調整ユニットとして決定されることを特徴とする、照明装置の製造方法。
【請求項４】
複数の照明装置を備える照明装置群であって、
前記複数の照明装置は、それぞれ、
所定方向に伸延する少なくとも１つの発光ユニットと、
少なくとも１つの電源ユニットと、
少なくとも１つのサイズ調整ユニットと、
を備え、
前記複数の照明装置においては、それぞれ、前記所定方向に対して垂直な方向である幅方向に、前記少なくとも１つの発光ユニットと前記少なくとも１つの電源ユニットと前記少なくとも１つのサイズ調整ユニットとを含む複数のユニットの組合せが配置され、
各照明装置における前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、
前記複数の照明装置は、互いに異なる幅を有し、前記複数のユニットに関する異なる複数の組合せによって構築され、
互いに異なる複数の種類のサイズ調整ユニットのうち各照明装置の構築に用いられるサイズ調整ユニットの種類を変更することによって、前記複数の照明装置に関する互いに異なる複数の調整幅がそれぞれ実現され、
前記複数の照明装置は、所定単位幅刻みの前記複数の幅を有し、
前記複数の調整幅は、前記所定単位幅刻みの値であり、
前記複数の種類のサイズ調整ユニットは、前記所定単位幅の半値の倍数を有するＰ種類（ただし、値Ｐは自然数）のサイドカバーユニットを有し、
前記少なくとも１つのサイズ調整ユニットは、前記Ｐ種類のサイドカバーユニットのうちの１種類且つ１組のサイドカバーユニットを含むサイズ調整ユニットであることを特徴とする照明装置群。
【請求項５】
請求項４に記載の照明装置群において、
前記複数の種類のサイズ調整ユニットは、複数の種類の幅調整ジョイントユニットをも有し、
前記少なくとも１つのサイズ調整ユニットは、
前記複数の種類の幅調整ジョイントユニットのうち、前記１組のサイドカバーユニットとの組み合わせで前記調整幅を実現する少なくとも１つの幅調整ジョイントユニット、
を有することを特徴とする照明装置群。
【請求項６】
照明装置であって、
所定方向に伸延する少なくとも１つの発光ユニットと、
少なくとも１つの電源ユニットと、
少なくとも１つのサイズ調整ユニットと、
を備え、
前記所定方向に対して垂直な方向である幅方向において、前記少なくとも１つの発光ユニットと前記少なくとも１つの電源ユニットと前記少なくとも１つのサイズ調整ユニットとを含む複数のユニットの組合せが配置され、
前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、
前記照明装置は、前記複数のユニットに関する異なる複数の組合せによって構築される互いに異なる複数の幅を有する複数の照明装置のうちの１つの照明装置であり、
互いに異なる複数の種類のサイズ調整ユニットのうち各照明装置の構築に用いられるサイズ調整ユニットの種類を変更することによって、前記複数の照明装置に関する互いに異なる複数の調整幅がそれぞれ実現され、
前記複数の照明装置は、所定単位幅刻みの前記複数の幅を有し、
前記複数の調整幅は、前記所定単位幅刻みの値であり、
前記複数の種類のサイズ調整ユニットは、前記所定単位幅の半値の倍数を有するＰ種類（ただし、値Ｐは自然数）のサイドカバーユニットを有し、
前記少なくとも１つのサイズ調整ユニットは、前記Ｐ種類のサイドカバーユニットのうちの１種類且つ１組のサイドカバーユニットを含むサイズ調整ユニットであることを特徴とする照明装置。
【請求項７】
請求項６に記載の照明装置において、
前記複数の種類のサイズ調整ユニットは、複数の種類の幅調整ジョイントユニットをも有し、
前記少なくとも１つのサイズ調整ユニットは、
前記複数の種類の幅調整ジョイントユニットのうち、前記１組のサイドカバーユニットとの組み合わせで前記調整幅を実現する少なくとも１つの幅調整ジョイントユニット、
を有することを特徴とする照明装置。
【請求項８】
照明装置の製造方法であって、
ａ）前記照明装置において所定方向に伸延して配置される発光ユニットの前記所定方向に垂直な方向である幅方向における配置数と前記照明装置に配置される電源ユニットの前記幅方向における配置数と前記照明装置の指定幅とに基づき、少なくとも１つのサイズ調整ユニットにより調整されるべき調整幅を決定するステップと、
ｂ）互いに異なる複数の種類のサイズ調整ユニットの中から、前記調整幅を実現する前記少なくとも１つのサイズ調整ユニットを決定するステップと、
ｃ）前記ステップｂ）にて決定された前記少なくとも１つのサイズ調整ユニットと、前記発光ユニットと、前記電源ユニットとを含む複数のユニットを、前記幅方向において組み合わせて配置するステップと、
を備え、
前記照明装置は、前記複数のユニットに関する異なる複数の組合せによって構築される互いに異なる複数の幅を有する複数の照明装置のうちの１つの照明装置であり、
前記複数の種類のサイズ調整ユニットのうち各照明装置の構築に用いられるサイズ調整ユニットの種類を変更することによって、前記複数の照明装置に関する互いに異なる複数の調整幅がそれぞれ実現され、
前記複数の照明装置は、所定単位幅刻みの前記複数の幅を有し、
前記複数の調整幅は、前記所定単位幅刻みの値であり、
前記複数の種類のサイズ調整ユニットは、前記所定単位幅の半値の倍数を有するＰ種類（ただし、値Ｐは自然数）のサイドカバーユニットを有し、
前記ステップｂ）において、前記Ｐ種類のサイドカバーユニットの中から選択される１種類且つ１組のサイドカバーユニットを含むサイズ調整ユニットが、前記少なくとも１つのサイズ調整ユニットとして決定されることを特徴とする、照明装置の製造方法。
【請求項９】
請求項８に記載の製造方法において、
前記複数の種類のサイズ調整ユニットは、複数の種類の幅調整ジョイントユニットをも有し、
前記ステップｂ）において、前記Ｐ種類のサイドカバーユニットの中から選択される１種類且つ１組のサイドカバーユニットと、前記複数の種類の幅調整ジョイントユニットのうちの少なくとも１つの幅調整ジョイントユニットとを含むサイズ調整ユニットが、前記少なくとも１つのサイズ調整ユニットとして決定されることを特徴とする、照明装置の製造方法。
【請求項１０】
複数の照明装置を備える照明装置群であって、
前記複数の照明装置は、それぞれ、
所定方向に伸延する少なくとも１つの発光ユニットと、
少なくとも１つの電源ユニットと、
少なくとも１つのサイズ調整ユニットと、
を備え、
前記複数の照明装置においては、それぞれ、前記所定方向に対して垂直な方向である幅方向に、前記少なくとも１つの発光ユニットと前記少なくとも１つの電源ユニットと前記少なくとも１つのサイズ調整ユニットとを含む複数のユニットの組合せが配置され、
各照明装置における前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、
前記複数の照明装置は、互いに異なる幅を有し、前記複数のユニットに関する異なる複数の組合せによって構築され、
前記複数の照明装置は、
第１の幅から第２の幅までの複数段階の幅を装置幅として有する第１の照明装置群と、
前記第２の幅よりも大きな第３の幅から第４の幅までの複数段階の幅を装置幅として有する第２の照明装置群と、
を有し、
前記第１の照明装置群は、その発光ユニットの前記幅方向における個数が互いに同一であり且つそのサイズ調整ユニットの組合せが互いに異なる装置群で構成され、
前記第２の照明装置群は、その発光ユニットの前記幅方向における個数が互いに同一であり且つそのサイズ調整ユニットの組合せが互いに異なる装置群で構成され、
前記第２の照明装置群の各照明装置における発光ユニットの前記幅方向における個数は、前記第１の照明装置群の各照明装置における発光ユニットの前記幅方向における個数よりも多数であり、
前記第１の照明装置群のいずれかの照明装置の構築に用いられるサイズ調整ユニットの組合せを利用して、前記第２の照明装置群の各照明装置におけるサイズ調整ユニットが構築され、前記第２の照明装置群の各照明装置が構築されることを特徴とする照明装置群。
【手続補正３】
【補正対象書類名】明細書
【補正対象項目名】００１１
【補正方法】変更
【補正の内容】
【００１１】
上記課題を解決すべく、請求項１の発明は、複数の照明装置を備える照明装置群であって、前記複数の照明装置は、それぞれ、所定方向に伸延する少なくとも１つの発光ユニットと、少なくとも１つの電源ユニットと、少なくとも１つのサイズ調整ユニットと、を備え、前記複数の照明装置においては、それぞれ、前記所定方向に対して垂直な方向である幅方向に、前記少なくとも１つの発光ユニットと前記少なくとも１つの電源ユニットと前記少なくとも１つのサイズ調整ユニットとを含む複数のユニットの組合せが配置され、各照明装置における前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、前記複数の照明装置は、互いに異なる幅を有し、前記複数のユニットに関する異なる複数の組合せによって構築され、互いに異なる複数の種類のサイズ調整ユニットのうち各照明装置の構築に用いられるサイズ調整ユニットの組合せを変更することによって、前記複数の照明装置に関する互いに異なる複数の調整幅がそれぞれ実現され、前記少なくとも１つのサイズ調整ユニットは、前記複数の種類のサイズ調整ユニットに関する組合せのうち、前記調整幅を実現する２種類以上のサイズ調整ユニットの組合せに係るサイズ調整ユニットであることを特徴とする。
請求項２の発明は、照明装置であって、所定方向に伸延する少なくとも１つの発光ユニットと、少なくとも１つの電源ユニットと、少なくとも１つのサイズ調整ユニットと、を備え、前記所定方向に対して垂直な方向である幅方向において、前記少なくとも１つの発光ユニットと前記少なくとも１つの電源ユニットと前記少なくとも１つのサイズ調整ユニットとを含む複数のユニットの組合せが配置され、前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、前記照明装置は、前記複数のユニットに関する異なる複数の組合せによって構築される互いに異なる複数の幅を有する複数の照明装置のうちの１つの照明装置であり、互いに異なる複数の種類のサイズ調整ユニットのうち各照明装置の構築に用いられるサイズ調整ユニットの組合せを変更することによって、前記複数の照明装置に関する互いに異なる複数の調整幅がそれぞれ実現され、前記少なくとも１つのサイズ調整ユニットは、前記複数の種類のサイズ調整ユニットに関する組合せのうち、前記調整幅を実現する２種類以上のサイズ調整ユニットの組合せに係るサイズ調整ユニットであることを特徴とする。
請求項３の発明は、照明装置の製造方法であって、ａ）前記照明装置において所定方向に伸延して配置される発光ユニットの前記所定方向に垂直な方向である幅方向における配置数と前記照明装置に配置される電源ユニットの前記幅方向における配置数と前記照明装置の指定幅とに基づき、少なくとも１つのサイズ調整ユニットにより調整されるべき調整幅を決定するステップと、ｂ）互いに異なる複数の種類のサイズ調整ユニットの中から、前記調整幅を実現する前記少なくとも１つのサイズ調整ユニットを決定するステップと、ｃ）前記ステップｂ）にて決定された前記少なくとも１つのサイズ調整ユニットと、前記発光ユニットと、前記電源ユニットとを含む複数のユニットを、前記幅方向において組み合わせて配置するステップと、を備え、前記照明装置は、前記複数のユニットに関する異なる複数の組合せによって構築される互いに異なる複数の幅を有する複数の照明装置のうちの１つの照明装置であり、前記複数の種類のサイズ調整ユニットのうち各照明装置の構築に用いられるサイズ調整ユニットの組合せを変更することによって、前記複数の照明装置に関する互いに異なる複数の調整幅がそれぞれ実現され、前記ステップｂ）において、前記複数の種類のサイズ調整ユニットに関する組合せの中から、前記調整幅を実現する２種類以上のサイズ調整ユニットの組合せに係るサイズ調整ユニットが前記少なくとも１つのサイズ調整ユニットとして決定されることを特徴とする。
【手続補正４】
【補正対象書類名】明細書
【補正対象項目名】００１２
【補正方法】変更
【補正の内容】
【００１２】
請求項４の発明は、複数の照明装置を備える照明装置群であって、前記複数の照明装置は、それぞれ、所定方向に伸延する少なくとも１つの発光ユニットと、少なくとも１つの電源ユニットと、少なくとも１つのサイズ調整ユニットと、を備え、前記複数の照明装置においては、それぞれ、前記所定方向に対して垂直な方向である幅方向に、前記少なくとも１つの発光ユニットと前記少なくとも１つの電源ユニットと前記少なくとも１つのサイズ調整ユニットとを含む複数のユニットの組合せが配置され、各照明装置における前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、前記複数の照明装置は、互いに異なる幅を有し、前記複数のユニットに関する異なる複数の組合せによって構築され、互いに異なる複数の種類のサイズ調整ユニットのうち各照明装置の構築に用いられるサイズ調整ユニットの種類を変更することによって、前記複数の照明装置に関する互いに異なる複数の調整幅がそれぞれ実現され、前記複数の照明装置は、所定単位幅刻みの前記複数の幅を有し、前記複数の調整幅は、前記所定単位幅刻みの値であり、前記複数の種類のサイズ調整ユニットは、前記所定単位幅の半値の倍数を有するＰ種類（ただし、値Ｐは自然数）のサイドカバーユニットを有し、前記少なくとも１つのサイズ調整ユニットは、前記Ｐ種類のサイドカバーユニットのうちの１種類且つ１組のサイドカバーユニットを含むサイズ調整ユニットであることを特徴とする。
請求項５の発明は、請求項４の発明に係る照明装置群において、前記複数の種類のサイズ調整ユニットは、複数の種類の幅調整ジョイントユニットをも有し、前記少なくとも１つのサイズ調整ユニットは、前記複数の種類の幅調整ジョイントユニットのうち、前記１組のサイドカバーユニットとの組み合わせで前記調整幅を実現する少なくとも１つの幅調整ジョイントユニット、を有することを特徴とする。
請求項６の発明は、照明装置であって、所定方向に伸延する少なくとも１つの発光ユニットと、少なくとも１つの電源ユニットと、少なくとも１つのサイズ調整ユニットと、を備え、前記所定方向に対して垂直な方向である幅方向において、前記少なくとも１つの発光ユニットと前記少なくとも１つの電源ユニットと前記少なくとも１つのサイズ調整ユニットとを含む複数のユニットの組合せが配置され、前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、前記照明装置は、前記複数のユニットに関する異なる複数の組合せによって構築される互いに異なる複数の幅を有する複数の照明装置のうちの１つの照明装置であり、互いに異なる複数の種類のサイズ調整ユニットのうち各照明装置の構築に用いられるサイズ調整ユニットの種類を変更することによって、前記複数の照明装置に関する互いに異なる複数の調整幅がそれぞれ実現され、前記複数の照明装置は、所定単位幅刻みの前記複数の幅を有し、前記複数の調整幅は、前記所定単位幅刻みの値であり、前記複数の種類のサイズ調整ユニットは、前記所定単位幅の半値の倍数を有するＰ種類（ただし、値Ｐは自然数）のサイドカバーユニットを有し、前記少なくとも１つのサイズ調整ユニットは、前記Ｐ種類のサイドカバーユニットのうちの１種類且つ１組のサイドカバーユニットを含むサイズ調整ユニットであることを特徴とする。
請求項７の発明は、請求項６の発明に係る照明装置において、前記複数の種類のサイズ調整ユニットは、複数の種類の幅調整ジョイントユニットをも有し、前記少なくとも１つのサイズ調整ユニットは、前記複数の種類の幅調整ジョイントユニットのうち、前記１組のサイドカバーユニットとの組み合わせで前記調整幅を実現する少なくとも１つの幅調整ジョイントユニット、を有することを特徴とする。
請求項８の発明は、照明装置の製造方法であって、ａ）前記照明装置において所定方向に伸延して配置される発光ユニットの前記所定方向に垂直な方向である幅方向における配置数と前記照明装置に配置される電源ユニットの前記幅方向における配置数と前記照明装置の指定幅とに基づき、少なくとも１つのサイズ調整ユニットにより調整されるべき調整幅を決定するステップと、ｂ）互いに異なる複数の種類のサイズ調整ユニットの中から、前記調整幅を実現する前記少なくとも１つのサイズ調整ユニットを決定するステップと、ｃ）前記ステップｂ）にて決定された前記少なくとも１つのサイズ調整ユニットと、前記発光ユニットと、前記電源ユニットとを含む複数のユニットを、前記幅方向において組み合わせて配置するステップと、を備え、前記照明装置は、前記複数のユニットに関する異なる複数の組合せによって構築される互いに異なる複数の幅を有する複数の照明装置のうちの１つの照明装置であり、前記複数の種類のサイズ調整ユニットのうち各照明装置の構築に用いられるサイズ調整ユニットの種類を変更することによって、前記複数の照明装置に関する互いに異なる複数の調整幅がそれぞれ実現され、前記複数の照明装置は、所定単位幅刻みの前記複数の幅を有し、前記複数の調整幅は、前記所定単位幅刻みの値であり、前記複数の種類のサイズ調整ユニットは、前記所定単位幅の半値の倍数を有するＰ種類（ただし、値Ｐは自然数）のサイドカバーユニットを有し、前記ステップｂ）において、前記Ｐ種類のサイドカバーユニットの中から選択される１種類且つ１組のサイドカバーユニットを含むサイズ調整ユニットが、前記少なくとも１つのサイズ調整ユニットとして決定されることを特徴とする。
請求項９の発明は、請求項８の発明に係る製造方法において、前記複数の種類のサイズ調整ユニットは、複数の種類の幅調整ジョイントユニットをも有し、前記ステップｂ）において、前記Ｐ種類のサイドカバーユニットの中から選択される１種類且つ１組のサイドカバーユニットと、前記複数の種類の幅調整ジョイントユニットのうちの少なくとも１つの幅調整ジョイントユニットとを含むサイズ調整ユニットが、前記少なくとも１つのサイズ調整ユニットとして決定されることを特徴とする。
【手続補正５】
【補正対象書類名】明細書
【補正対象項目名】００１３
【補正方法】変更
【補正の内容】
【００１３】
請求項１０の発明は、複数の照明装置を備える照明装置群であって、前記複数の照明装置は、それぞれ、所定方向に伸延する少なくとも１つの発光ユニットと、少なくとも１つの電源ユニットと、少なくとも１つのサイズ調整ユニットと、を備え、前記複数の照明装置においては、それぞれ、前記所定方向に対して垂直な方向である幅方向に、前記少なくとも１つの発光ユニットと前記少なくとも１つの電源ユニットと前記少なくとも１つのサイズ調整ユニットとを含む複数のユニットの組合せが配置され、各照明装置における前記少なくとも１つのサイズ調整ユニットは、前記少なくとも１つの発光ユニットと前記少なくとも１つの電源ユニットとの合計幅を前記照明装置の指定幅から差し引いた調整幅を実現するものであり、前記複数の照明装置は、互いに異なる幅を有し、前記複数のユニットに関する異なる複数の組合せによって構築され、前記複数の照明装置は、第１の幅から第２の幅までの複数段階の幅を装置幅として有する第１の照明装置群と、前記第２の幅よりも大きな第３の幅から第４の幅までの複数段階の幅を装置幅として有する第２の照明装置群と、を有し、前記第１の照明装置群は、その発光ユニットの前記幅方向における個数が互いに同一であり且つそのサイズ調整ユニットの組合せが互いに異なる装置群で構成され、前記第２の照明装置群は、その発光ユニットの前記幅方向における個数が互いに同一であり且つそのサイズ調整ユニットの組合せが互いに異なる装置群で構成され、前記第２の照明装置群の各照明装置における発光ユニットの前記幅方向における個数は、前記第１の照明装置群の各照明装置における発光ユニットの前記幅方向における個数よりも多数であり、前記第１の照明装置群のいずれかの照明装置の構築に用いられるサイズ調整ユニットの組合せを利用して、前記第２の照明装置群の各照明装置におけるサイズ調整ユニットが構築され、前記第２の照明装置群の各照明装置が構築されることを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
請求項１ないし請求項１０に記載の発明によれば、様々な幅の照明装置を効率的に構築することが可能である。
【手続補正１３】
【補正対象書類名】明細書
【補正対象項目名】００２１
【補正方法】削除
【補正の内容】